(57)【特許請求の範囲】
【請求項１】
物体側から順に、正の屈折力を持つ第１レンズ群、負の屈折力を持つ第２レンズ群、正の屈折力を持つ第３レンズ群、正の屈折力を持つ第４レンズ群、負の屈折力を持つ第５レンズ群、正の屈折力を持つ第６レンズ群からなり、
変倍時に全てのレンズ群間の距離が変化し、
前記第１レンズ群は反射光学素子を含み、
前記第４レンズ群の最も像側のレンズが像側に凹面を向けた負レンズからなり、
前記第５レンズ群において、最も物体側のレンズ面が物体側に向けた凹面であり、
以下の条件式（２Ａ）を満足する
ことを特徴とするズームレンズ。
０．２６４≦(RG5S+RG4L)/(RG5S-RG4L)≦０．７      ・・・（２Ａ）
ここで、
RG5Sは前記第５レンズ群の最も物体側の面の曲率半径、
RG4Lは前記第４レンズ群の最も像側の面の曲率半径、
である。
【請求項２】
以下の条件式（１）を満足することを特徴とする請求項１に記載のズームレンズ。
１．９≦｜(RG4L+RG4S)/(RG4L-RG4S)｜      ・・・（１）
ここで、RG4Sは前記第４レンズ群の最も物体側の面の曲率半径、
RG4Lは前記第４レンズ群の最も像側の面の曲率半径、
である。
【請求項３】
前記第４レンズ群が少なくとも２つのレンズ成分で構成される
ことを特徴とする請求項１または請求項２に記載のズームレンズ。
【請求項４】
以下の条件式（３）を満足する
ことを特徴とする請求項１乃至請求項３の何れか１つに記載のズームレンズ。
１．１≦FG5/FG4Ln≦５                ・・・（３）
ここで、FG5は前記第５レンズ群の焦点距離、
FG4Lnは前記第４レンズ群の最も像側の負レンズの焦点距離、
である。
【請求項５】
前記第１レンズ群が、負の屈折力を持つ前群、正の屈折力を持つ後群からなる
ことを特徴とする請求項１乃至請求項４の何れか１つに記載のズームレンズ。
【請求項６】
前記第２レンズ群において、少なくとも負レンズが２つ連続で並んで配置される
ことを特徴とする請求項１乃至請求項５の何れか１つに記載のズームレンズ。
【請求項７】
前記第６レンズ群が変倍時に固定である
ことを特徴とする請求項１乃至請求項６の何れか１つに記載のズームレンズ。
【請求項８】
請求項１乃至請求項７の何れか１つに記載のズームレンズと、
前記ズームレンズの像側に配置され光学像を電気信号に変換する撮像面を持つ撮像素子と、
を有することを特徴とする電子撮像装置。
【発明の詳細な説明】
【技術分野】
【０００１】
本発明は、反射光学素子を含む屈曲光学系で、小型で、良好な光学性能をもつズームレンズおよびそれを有する電子撮像装置に関するものである。
【背景技術】
【０００２】
デジタルカメラやデジタルビデオカメラ等電子撮像装置に用いられる光学系は、小型で収差が良好に補正された高い光学性能をもつことが求められている。小型化を達成する一つの手段として、反射光学素子を光学系内に含む屈曲光学系とそれを用いた電子撮像装置が知られている。
【０００３】
反射光学素子を含む屈曲光学系では、小型な光学系の構成として以下の特許文献で示されているような正・負・正・正・負・正の６群構成からなる結像光学系が知られている。
【０００４】
しかしながら、以下の特許文献の方法では光学系を更に小型化し、光学性能が良好でコンパクトな電子撮像装置を得ることが極めて難しい。
【先行技術文献】
【特許文献】
【０００５】
【特許文献１】特開２００９−６９６７１号公報
【特許文献２】特開２００９−１９２７７１号公報
【特許文献３】特開２００８−２２５３１４号公報
【特許文献４】特開２００８−１２９２３８号公報
【発明の概要】
【発明が解決しようとする課題】
【０００６】
特許文献１では、正・負・正・正・負・正の６群構成の変倍比約７倍の屈曲光学系に追加レンズ群としてレンズ群を１つ用意して追加挿入することで、６群構成時の望遠端よりも更に長焦点距離側へ変倍し、変倍比１０倍の屈曲光学系を提案している。しかしながら、この構成では追加レンズ群を追加挿入した時の収差変動が大きく光学性能が悪化する。また、あらかじめ追加レンズ群を追加挿入することを考えており、空気間隔を余分に取る必要があるため、余分な空気間隔により、光学全長が長くなる。そして、連続的にズーミングできないため、ユーザーの利便性が損なわれている。
【０００７】
特許文献２〜４では、正・負・正・正・負・正の６群構成で５〜７倍の高変倍比をもつ屈曲光学系を提案している。しかしながら、高変倍比を持つことで光学全長が長く、特許文献での構成では更なる小型化を行うと収差が悪化し、良好な光学性能を確保することが極めて難しい。
【０００８】
本発明は上記を鑑みてなされたものであり、正・負・正・正・負・正の６群構成の屈曲光学系であって、反射光学素子を含み、小型で、良好な光学性能をもつズームレンズおよびそれを有する電子撮像装置を提供することを目的とする。
【課題を解決するための手段】
【０００９】
上記課題を解決するために、本発明のある態様に係るズームレンズは、物体側から順に、正の屈折力を持つ第１レンズ群、負の屈折力を持つ第２レンズ群、正の屈折力を持つ第３レンズ群、正の屈折力を持つ第４レンズ群、負の屈折力を持つ第５レンズ群、正の屈折力を持つ第６レンズ群からなり、前記第１レンズ群は反射光学素子を含み、前記第４レンズ群の最も像側のレンズが像側に凹面を向けた負レンズからなることを特徴とする。
【００１０】
この態様に係るズームレンズによれば、第１レンズ群は反射光学素子を含むため、沈胴式光学系と異なり、使用時に鏡筒が撮像装置本体から飛び出す必要もなく、光軸を折り曲げて配置することで奥行き方向に、より小型な撮像装置にすることができる。
【００１１】
また、第４レンズ群の最も像側のレンズが像側に向けた凹面を持つ負レンズとすることにより、第４レンズ群の前側主点位置をより物体側に位置させることができる。これにより、第３レンズ群と第４レンズ群の空気間隔が最も大きい広角端にて従来の構成よりも第４レンズ群をより像側に配置できるために、従来の構成よりも変倍スペースを有効に利用することができる。また、変倍時に、第４レンズ群の最も像側のレンズが変動すると、コマ収差やメリジオナル像面湾曲などの収差が変動するところ、第４レンズ群の最も像側のレンズが像側に凹面を向けた負レンズとすることで、その収差変動を良好に補正している。その結果、変倍スペースを小さく保ちながら十分な変倍比を取ることができる小型なズームレンズを得ることが可能となる。
【発明の効果】
【００１２】
以上のように、本発明のある態様に係るズームレンズによれば、反射光学素子を含む屈曲光学系で、小型で、良好な光学性能をもつズームレンズおよびそれを有する電子撮像装置を提供することが可能となる。
【図面の簡単な説明】
【００１３】
【図１】実施例１におけるズームレンズの（ａ）は広角端、（ｂ）は中間、（ｃ）は望遠端における無限遠物点合焦時の光学構成を示す光軸に沿う断面図である。
【図２】実施例２におけるズームレンズの（ａ）は広角端、（ｂ）は中間、（ｃ）は望遠端における無限遠物点合焦時の光学構成を示す光軸に沿う断面図である。
【図３】実施例３におけるズームレンズの（ａ）は広角端、（ｂ）は中間、（ｃ）は望遠端における無限遠物点合焦時の光学構成を示す光軸に沿う断面図である。
【図４】実施例４におけるズームレンズの（ａ）は広角端、（ｂ）は中間、（ｃ）は望遠端における無限遠物点合焦時の光学構成を示す光軸に沿う断面図である。
【図５】実施例５におけるズームレンズの（ａ）は広角端、（ｂ）は中間、（ｃ）は望遠端における無限遠物点合焦時の光学構成を示す光軸に沿う断面図である。
【図６】実施例６におけるズームレンズの（ａ）は広角端、（ｂ）は中間、（ｃ）は望遠端における無限遠物点合焦時の光学構成を示す光軸に沿う断面図である。
【図７】実施例７におけるズームレンズの（ａ）は広角端、（ｂ）は中間、（ｃ）は望遠端における無限遠物点合焦時の光学構成を示す光軸に沿う断面図である。
【図８】実施例８におけるズームレンズの（ａ）は広角端、（ｂ）は中間、（ｃ）は望遠端における無限遠物点合焦時の光学構成を示す光軸に沿う断面図である。
【図９】実施例９におけるズームレンズの（ａ）は広角端、（ｂ）は中間、（ｃ）は望遠端における無限遠物点合焦時の光学構成を示す光軸に沿う断面図である。
【図１０】実施例１０におけるズームレンズの（ａ）は広角端、（ｂ）は中間、（ｃ）は望遠端における無限遠物点合焦時の光学構成を示す光軸に沿う断面図である。
【図１１】実施例１１におけるズームレンズの（ａ）は広角端、（ｂ）は中間、（ｃ）は望遠端における無限遠物点合焦時の光学構成を示す光軸に沿う断面図である。
【図１２】実施例１２におけるズームレンズの（ａ）は広角端、（ｂ）は中間、（ｃ）は望遠端における無限遠物点合焦時の光学構成を示す光軸に沿う断面図である。
【図１３】実施例１３におけるズームレンズの（ａ）は広角端、（ｂ）は中間、（ｃ）は望遠端における無限遠物点合焦時の光学構成を示す光軸に沿う断面図である。
【図１４】実施例１４におけるズームレンズの（ａ）は広角端、（ｂ）は中間、（ｃ）は望遠端における無限遠物点合焦時の光学構成を示す光軸に沿う断面図である。
【図１５】実施例１５におけるズームレンズの（ａ）は広角端、（ｂ）は中間、（ｃ）は望遠端における無限遠物点合焦時の光学構成を示す光軸に沿う断面図である。
【図１６】実施例１における結像光学系の無限遠物点合焦時における球面収差、非点収差、歪曲収差、倍率色収差を示す図であり、（ａ）は広角端、（ｂ）は中間、（ｃ）は望遠端での状態を示している。
【図１７】実施例２における結像光学系の無限遠物点合焦時における球面収差、非点収差、歪曲収差、倍率色収差を示す図であり、（ａ）は広角端、（ｂ）は中間、（ｃ）は望遠端での状態を示している。
【図１８】実施例３における結像光学系の無限遠物点合焦時における球面収差、非点収差、歪曲収差、倍率色収差を示す図であり、（ａ）は広角端、（ｂ）は中間、（ｃ）は望遠端での状態を示している。
【図１９】実施例４における結像光学系の無限遠物点合焦時における球面収差、非点収差、歪曲収差、倍率色収差を示す図であり、（ａ）は広角端、（ｂ）は中間、（ｃ）は望遠端での状態を示している。
【図２０】実施例５における結像光学系の無限遠物点合焦時における球面収差、非点収差、歪曲収差、倍率色収差を示す図であり、（ａ）は広角端、（ｂ）は中間、（ｃ）は望遠端での状態を示している。
【図２１】実施例６における結像光学系の無限遠物点合焦時における球面収差、非点収差、歪曲収差、倍率色収差を示す図であり、（ａ）は広角端、（ｂ）は中間、（ｃ）は望遠端での状態を示している。
【図２２】実施例７における結像光学系の無限遠物点合焦時における球面収差、非点収差、歪曲収差、倍率色収差を示す図であり、（ａ）は広角端、（ｂ）は中間、（ｃ）は望遠端での状態を示している。
【図２３】実施例８における結像光学系の無限遠物点合焦時における球面収差、非点収差、歪曲収差、倍率色収差を示す図であり、（ａ）は広角端、（ｂ）は中間、（ｃ）は望遠端での状態を示している。
【図２４】実施例９における結像光学系の無限遠物点合焦時における球面収差、非点収差、歪曲収差、倍率色収差を示す図であり、（ａ）は広角端、（ｂ）は中間、（ｃ）は望遠端での状態を示している。
【図２５】実施例１０における結像光学系の無限遠物点合焦時における球面収差、非点収差、歪曲収差、倍率色収差を示す図であり、（ａ）は広角端、（ｂ）は中間、（ｃ）は望遠端での状態を示している。
【図２６】実施例１１における結像光学系の無限遠物点合焦時における球面収差、非点収差、歪曲収差、倍率色収差を示す図であり、（ａ）は広角端、（ｂ）は中間、（ｃ）は望遠端での状態を示している。
【図２７】実施例１２における結像光学系の無限遠物点合焦時における球面収差、非点収差、歪曲収差、倍率色収差を示す図であり、（ａ）は広角端、（ｂ）は中間、（ｃ）は望遠端での状態を示している。
【図２８】実施例１３における結像光学系の無限遠物点合焦時における球面収差、非点収差、歪曲収差、倍率色収差を示す図であり、（ａ）は広角端、（ｂ）は中間、（ｃ）は望遠端での状態を示している。
【図２９】実施例１４における結像光学系の無限遠物点合焦時における球面収差、非点収差、歪曲収差、倍率色収差を示す図であり、（ａ）は広角端、（ｂ）は中間、（ｃ）は望遠端での状態を示している。
【図３０】実施例１５における結像光学系の無限遠物点合焦時における球面収差、非点収差、歪曲収差、倍率色収差を示す図であり、（ａ）は広角端、（ｂ）は中間、（ｃ）は望遠端での状態を示している。
【図３１】本実施例のズームレンズを用いた電子撮像装置としてのデジタルカメラ４０の断面図である。
【図３２】デジタルカメラの主要部の内部回路を示すブロック図である。
【発明を実施するための形態】
【００１４】
本実施例のズームレンズの構成による作用効果を説明する。なお、この実施例によって本発明は限定されるものではない。すなわち、実施例の説明に当たって、例示のために特定の詳細な内容が多く含まれるが、当業者であれば、これらの詳細な内容に色々なバリエーションや変更を加えても、本発明の範囲を超えないことは理解できよう。従って、以下で説明する本発明の例示的な実施例は、権利請求された発明に対して、一般性を失わせることなく、また、何ら限定をすることもなく、述べられたものである。
【００１５】
本実施例に係るズームレンズは、物体側から順に、正の屈折力を持つ第１レンズ群、負の屈折力を持つ第２レンズ群、正の屈折力を持つ第３レンズ群、正の屈折力を持つ第４レンズ群、負の屈折力を持つ第５レンズ群、正の屈折力を持つ第６レンズ群からなり、第１レンズ群は反射光学素子を含み、前記第４レンズ群の最も像側のレンズが像側に凹面を向けた負レンズからなることが望ましい。
【００１６】
本構成によれば、第１レンズ群が、反射光学素子を含むため、反射によって光路を任意の方向に折り曲げることができるので、沈胴式光学系と異なり、使用時に鏡筒が撮像装置本体から飛び出す必要がない。したがって、屈曲光学系による奥行き方向に薄型化された小型なズームレンズおよびそれを備えた電子撮像装置にすることができる。
【００１７】
なお、反射光学素子とは、反射によって例えば光軸など光路を任意の方向に折り曲げることができる素子のことを示しており、例としてミラーやプリズム等が挙げられる。
【００１８】
また、正・負・正・正・負・正の６群構成で、反射光学素子を含む屈曲光学系を小型化、特に光学系全長の短縮を行うためには、各レンズ群の屈折力を強くすると同時に、空気間隔を少なくしなければならない。特に、変倍群の屈折力を強くすることで空気間隔を少なくすることが、全長短縮に効果的である。しかし、高い変倍比を維持しながら光学系全長の短縮を行うと、各群の屈折力を強めざるを得ず、また変倍に必要なスペースを少なくせざるを得ないため、小型化には限界があった。
【００１９】
例えば、上述の特許文献２〜４では、変倍群である正の第４レンズ群と正の第３レンズ群との間隔が縮まり、必要十分な変倍スペースが取れないためにこれ以上の光学系全長の短縮が困難であった。
【００２０】
ここで、上述のように、第４レンズ群の最も像側のレンズを像側に凹面を向けた負レンズとすることにより、言い換えれば、正の第４レンズ群の最も像側の面を発散面とすることにより、第４レンズ群の前側主点位置をより物体側に位置させることができる。これにより、第３レンズ群と第４レンズ群の空気間隔が最も大きい広角端にて、従来の構成よりも第４レンズ群をより像側に配置できるため、変倍スペースを有効に利用することができる。したがって、変倍スペースを小さく保ちながら十分な変倍比を確保できる小型で性能の良いズームレンズを得ることが可能となる。
【００２１】
なお、正の第４レンズ群の最も像側の面の発散面は、第４レンズ群の中で最も強く発散する面であることが好ましい。この構成にすることにより、第４レンズ群の前側主点位置をより物体側にすることができるため、より小型なズームレンズを得ることができる。
【００２２】
特許文献２では、第４レンズ群が正の両凸レンズ成分１つで構成され、第５レンズ群が像側に凹面を向けた負のレンズ１つで構成されている。つまり、第４レンズ群の前側主点位置は物体側に位置させることはできていない。一方、第５レンズ群との合成系で考えると前側主点位置を物体側に位置させることができている。しかし、変倍時あるいは合焦時に両者の相対位置関係、特に、第４レンズ群の最も物体側の収斂面と第５レンズ群の最も像側の発散面、が変動すると、コマ収差やメリジオナル像面湾曲などの収差変動を良好に補正することが極めて難しくなる。
【００２３】
このため、最も物体側の物体側に向けた凸面と、最も像側の像側に向けた凹面とを同じ正の第４レンズ群に保有し、一体で移動させることが好ましい。そして、これとは別に、負の第５レンズ群は変倍効率向上の面で残しておく必要がある。
【００２４】
なお、第４レンズ群の最も像側のレンズ面は非球面であることがより好ましい。
【００２５】
第４レンズ群の最も像側のレンズ面を非球面にすることにより、特にコマ収差や像面湾曲を良好に補正することが可能となる。
【００２６】
なお、第４レンズ群の最も物体側の面から少なくとも２面は収斂面であることがより好ましい。
【００２７】
第４レンズ群の最も物体側の面から少なくとも２面は収斂面、すなわち凸面であることで、第４レンズ群の前側主点位置をより物体側へ位置させることができ、より全長短縮した小型なズームレンズを得ることが可能となる。同時に、球面収差やコマ収差の補正がしやすくなる。
【００２８】
なお、ズームレンズは、広角端から望遠端への変倍の際に、第１レンズ群と第２レンズ群の間隔が広がり、第２レンズ群と第３レンズ群の間隔が縮まり、第３レンズ群と第４レンズ群の間隔が縮まり、第４レンズ群と第５レンズ群の間隔が変化し、第５レンズ群と第６レンズ群の間隔が変化することがより好ましい。
【００２９】
ズームレンズを上述の通り可動させることにより、効率的に変倍をすることができ、小型化を達成することが可能となる。
【００３０】
また、ズームレンズは、第４レンズ群が、以下の条件式（１）を満足することが望ましい。
１．９≦｜(RG4L+RG4S)/(RG4L-RG4S)｜        ・・・（１）
ここで、RG4Sはズームレンズの第４レンズ群の最も物体側の面の曲率半径、
RG4Lはズームレンズの第４レンズ群の最も像側の面の曲率半径、
である。
【００３１】
条件式（１）は、ズームレンズの第４レンズ群全体の形状を数式化したものであり、広角端から望遠端の全領域で球面収差、コマ収差、像面湾曲、色収差の補正を良好に行いつつ、第４レンズ群の前側主点を物体側に位置させるための条件である。
【００３２】
条件式（１）の下限を下回ると、第４レンズ群の前側主点を物体側に位置させることが困難となり、光学系全長の短縮に支障をきたしやすい。この状態で無理に光学系全長の短縮を図ろうとすると、広角端から望遠端の全領域で、特に球面収差、コマ収差、像面湾曲、色収差の発生により良好な光学性能の確保が難しくなる。
【００３３】
なお、条件式（１）に代えて、以下の条件式（１）’を満たすことが好ましい。
２．２≦｜(RG4L+RG4S)/(RG4L-RG4S)｜      ・・・（１）’
【００３４】
さらに、上記条件式（１）または（１）’に代えて、以下の条件式（１）’’を満たすことがより一層好ましい。
２．３≦｜(RG4L+RG4S)/(RG4L-RG4S)｜      ・・・（１）’’
【００３５】
また、ズームレンズは、第４レンズ群及び第５レンズ群が、以下の条件式（２）を満足することが望ましい。
０．１≦(RG5S+RG4L)/(RG5S-RG4L)≦０．９    ・・・（２）
ここで、RG5Sはズームレンズの第５レンズ群の最も物体側の面の曲率半径、
RG4Lはズームレンズの第４レンズ群の最も像側の面の曲率半径、
である。
【００３６】
条件式（２）は、ズームレンズの第４レンズ群の最も像側の面と、第５レンズ群の最も物体側の面で形成される空気レンズの形状を数式化したものである。条件式（２）を満足することで、広角端から望遠端の全領域での像面湾曲、非点収差、色収差の補正を良好に行うことが可能となる。
【００３７】
条件式（２）の上限を上回ることで、広角端から中間状態までメリジオナル像面湾曲がアンダーとなり、特に、望遠端では非点収差が発生するために、良好な光学性能の確保が難しくなる。また、高次の倍率色収差が発生しやすくなる。
【００３８】
条件式（２）の下限を下回ることで、広角端から望遠端の全領域での特にメリジオナル像面湾曲がオーバーとなり、良好な光学性能の確保が難しくなる。
【００３９】
なお、条件式（２）に代えて、以下の条件式（２）’を満たすことが好ましい。
０．２≦(RG5S+RG4L)/(RG5S-RG4L) ≦０．８     ・・・（２）’
【００４０】
さらに、条件式（２）又は条件式（２）’に代えて、以下の条件式（２）’’を満たすことがより一層好ましい。
０．３≦(RG5S+RG4L)/(RG5S-RG4L) ≦０．７     ・・・（２）’’
【００４１】
また、ズームレンズは、第４レンズ群及び第５レンズ群が、以下の条件式（３）を満足することが望ましい。
１．１≦FG5/FG4Ln≦５                 ・・・（３）
ここで、FG5はズームレンズの第５レンズ群の焦点距離、
FG4Lnはズームレンズの第４レンズ群の最も像側の負レンズの焦点距離、
である。
【００４２】
条件式（３）は、ズームレンズの第４レンズ群の最も像側の負レンズの焦点距離と、第５レンズ群の焦点距離との比である。条件式（３）を満足することで、光学性能が良好な小型なズームレンズを得ることが可能となる。
【００４３】
条件式（３）の上限を上回ることで、第５レンズ群の移動による収差補正力が弱まり、広角端から望遠端の全領域での、特にコマ収差や非点収差の補正を行うことが難しくなり光学性能が良好なズームレンズを得ることが極めて難しくなる。
【００４４】
条件式（３）の下限を下回ることで、第５レンズ群の移動による収差変動が大きくなり、広角端から望遠端の全領域での特にコマ収差や非点収差の補正を行うことが難しくなり光学性能が良好なズームレンズを得ることが極めて難しくなる。
【００４５】
なお、条件式（３）に代えて、以下の条件式（３）’を満たすことが好ましい。
１．２≦FG5/FG4Ln≦４．５              ・・・（３）’
【００４６】
さらに、条件式（３）又は条件式（３）’に代えて、以下の条件式（３）’’を満たすことがより一層好ましい。
１．２≦FG5/FG4Ln≦４．０              ・・・（３）’’
【００４７】
また、ズームレンズは、第４レンズ群が少なくとも２つのレンズ成分で構成されることが望ましい。
【００４８】
なお、レンズ成分とはレンズの最も物体側の面から最も像側の面の間に空気間隔を含まないものをさし、単レンズ、接合レンズ、複合レンズ、屈折力可変レンズ等はそれぞれ１つのレンズ成分と数える。
【００４９】
上述の構成により、レンズ成分が１つのときよりも第４レンズ群の前側主点位置をより物体側にすることができるため、小型で小型なズームレンズを得ることができる。また、球面収差やコマ収差の補正が行ないやすくなる。
【００５０】
なお、ズームレンズにおいて、第４レンズ群内に、以下の条件式（４）を満たす空気レンズが少なくとも１つあることが好ましい。
−０．４５≦(RG4m1+RG4m2)/(RG4m2-RG4m1)≦６    ・・・（４）
ここで、RG4m1はズームレンズの第４レンズ群内の空気レンズの物体側の面の曲率半径、
RG4m2はズームレンズの第４レンズ群内の空気レンズの像側の面の曲率半径
である。
【００５１】
条件式（４）は、第４レンズ群内の空気レンズの形状を数式化したものである。条件式（４）を満たすことで、広角端から望遠端の全領域での球面収差、像面湾曲、倍率色収差の補正を良好に行うことが可能となる。
【００５２】
条件式（４）の上限を上回ると、広角端から望遠端の全領域で球面収差がアンダーに、像面湾曲がアンダーに、倍率色収差が悪化し、良好な光学性能の確保が難しくなる。
【００５３】
条件式（４）の下限を下回ると、広角端から望遠端の全領域で球面収差がオーバーに、像面湾曲がオーバーに、倍率色収差が悪化し、良好な光学性能の確保が難しくなる。
【００５４】
なお、条件式（４）に代えて、以下の条件式（４）’を満たすことが好ましい。
−０．３≦(RG4m1+RG4m2)/(RG4m2-RG4m1)≦３    ・・・（４）’
【００５５】
さらに、条件式（４）又は条件式（４）’に代えて、以下の条件式（４）’’を満たすことがより一層好ましい。
−０．２８≦(RG4m1+RG4m2)/(RG4m2-RG4m1)≦２  ・・・（４）’’
【００５６】
また、ズームレンズは、第５レンズ群において、最も物体側のレンズ面が物体側に向けた凹面であることが望ましい。
【００５７】
上述の構成により、広角端から望遠端での像面湾曲、非点収差、倍率色収差を良好に抑えることが可能となる。
【００５８】
なお、ズームレンズにおいて、第５レンズ群が、以下の条件式（５）を満たすことが好ましい。
−０．２≦(RG5S+RG5L)/(RG5L-RG5S)≦８      ・・・（５）
ここで、RG5Sはズームレンズの第５レンズ群の最も物体側の面の曲率半径、
RG5Lはズームレンズの第５レンズ群の最も像側の面の曲率半径
である。
【００５９】
条件式（５）は、第５レンズ群の形状を数式化したものである。条件式（５）を満たすことで、広角端から望遠端の全領域での像面湾曲、非点収差、倍率色収差を良好に抑えることが可能となる。
【００６０】
条件式（５）の上限を上回ると、広角端から望遠端の全領域での非点収差、高次の倍率色収差が悪化し、良好な光学性能の確保が難しくなる。
【００６１】
条件式（５）の下限を下回ると、広角端から望遠端の全領域での像面湾曲がアンダーに、高次の倍率色収差が悪化し、良好な光学性能の確保が難しくなる。
【００６２】
なお、条件式（５）に代えて、以下の条件式（５）’を満たすことが好ましい。
−０．２≦(RG5S+RG5L)/(RG5L-RG5S)≦５    ・・・（５）’
【００６３】
さらに、条件式（５）又は条件式（５）’に代えて、以下の条件式（５）’’を満たすことがより一層好ましい。
−０．１８≦(RG5S+RG5L)/(RG5L-RG5S)≦３．５    ・・・（５）’’
【００６４】
また、ズームレンズは、第１レンズ群が、負の屈折力を持つ前群、正の屈折力を持つ後群からなることが望ましい。
【００６５】
上述の構成にすることで、第１レンズ群における各光線高を低く抑えることができ、光路屈曲のための反射光学素子を小型にすることができる。同時に、特に望遠端での軸上色収差、広角端での倍率色収差を良好に抑えることができ、良好な光学性能を得ることが可能となる。
【００６６】
なお、第１レンズ群の反射光学素子に屈折力を持たせて配置し、負の屈折力を持つ前群、正の屈折力を持つ後群を構成しても良い。
【００６７】
また、ズームレンズは、第２レンズ群において、少なくとも負レンズを２つ連続で並んで配置することが望ましい。
【００６８】
上述の構成にすることで、第２レンズ群の前側主点の位置をより物体側に位置させることができるため、変倍群である第２レンズ群を効率的に変倍することができ、小型なズームレンズにすることができる。同時に、第１レンズ群および第２レンズ群における各光線高を低く抑えることができ、光路屈曲のための反射光学素子を小型にすることができる。
【００６９】
また、ズームレンズは、第６レンズ群が変倍時に固定であることが望ましい。
【００７０】
上述の構成にすることでズーミング時に移動するレンズ群を減らし、鏡筒の構成の簡素化を行うことができる。このことにより、撮像装置全体をより小型にすることが可能となる。
【００７１】
以上のように本実施例によれば、反射光学素子を含む屈曲光学系で、小型で、収差が良好に補正された小型なズームレンズおよびそれを有する電子撮像装置を提供することが可能となる。
【００７２】
なお、各条件式の上限値のみ、もしくは下限値のみを新たな上限値、下限値としても良い。
【００７３】
以下に、ズームレンズおよび電子撮像装置の実施例を図面に基づいて詳細に説明する。なお、本実施例によりこの発明が限定されるものではない。
【００７４】
実施例１における結像光学系のズームレンズについて説明する。図１は実施例１におけるズームレンズの光学構成を示す光軸に沿う断面図であり、（ａ）は広角端、（ｂ）は中間焦点距離状態、（ｃ）は望遠端での断面図である。
【００７５】
実施例１の結像光学系のズームレンズは、図１に示すように、物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６と、を有している。なお、以下全ての実施例において、レンズ断面図中、Ｐはプリズム、ＣＧはカバーガラス、Ｉは電子撮像素子の撮像面を示している。
【００７６】
第１レンズ群Ｇ１は、物体側から順に、物体側に凸面を向けた負メニスカスレンズＬ１１と、反射光学素子であるプリズムＰと、両凸正レンズＬ１２と、両凸正レンズＬ１３と、で構成されており、全体で正の屈折力を有している。ここで、負メニスカスレンズＬ１１とプリズムＰは、前群Ｇ１ｆを構成し、負の屈折力を有する。両凸正レンズＬ１２と両凸正レンズＬ１３は、後群Ｇ１ｂを構成し、正の屈折力を有する。
【００７７】
第２レンズ群Ｇ２は、物体側から順に、両凹負レンズＬ２１と、両凹負レンズＬ２２と両凸正レンズＬ２３の接合レンズＳＵ２１と、で構成されており、全体で負の屈折力を有している。
【００７８】
第３レンズ群Ｇ３は、物体側から順に、絞りＳと、物体側に凸面を向けた正メニスカスレンズＬ３１と、で構成されており、全体で正の屈折力を有している。
【００７９】
第４レンズ群Ｇ４は、物体側から順に、両凸正レンズＬ４１と、両凸正レンズＬ４２と両凹負レンズＬ４３の接合レンズＳＵ４１と、で構成されており、全体で正の屈折力を有している。
【００８０】
第５レンズ群Ｇ５は、両凹負レンズＬ５１で構成されており、負の屈折力を有している。
【００８１】
第６レンズ群Ｇ６は、両凸正レンズＬ６１で構成されており、正の屈折力を有している。
【００８２】
第１レンズ群Ｇ１、第３レンズ群Ｇ３及び第６レンズ群Ｇ６は、常時固定である。広角端から望遠端へと変倍する際には、第２レンズ群Ｇ２は第３レンズ群Ｇ３との間隔を狭めながら像側へ移動する。第４レンズ群Ｇ４は、広角端から望遠端まで第３レンズ群Ｇ３との間隔を狭めながら物体側へ移動する。第５レンズ群Ｇ５は、広角端から中間状態までは第６レンズ群Ｇ６との間隔を狭めながら像側へ移動し、中間状態から望遠端までは第６レンズ群Ｇ６との間隔を広げながら物体側へ移動する。
【００８３】
非球面は、第１レンズ群Ｇ１の負メニスカスレンズＬ１１の像側の面ｒ２、第２レンズ群Ｇ２の両凹負レンズＬ２１の像側の面ｒ１０、第３レンズ群Ｇ３の正メニスカスレンズＬ３１の物体側の面ｒ１５、第４レンズ群Ｇ４の両凸正レンズＬ４１の物体側の面ｒ１７、第４レンズ群Ｇ４の接合レンズＳＵ４１を構成する両凹負レンズＬ４３の像側の面ｒ２１、及び第６レンズ群Ｇ６の両凸正レンズＬ６１像側の面ｒ２５の６面である。
【００８４】
実施例２における結像光学系のズームレンズについて説明する。図２は実施例２におけるズームレンズの光学構成を示す光軸に沿う断面図であり、（ａ）は広角端、（ｂ）は中間焦点距離状態、（ｃ）は望遠端での断面図である。
【００８５】
実施例２の結像光学系のズームレンズは、図２に示すように、物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とを有している。
【００８６】
第１レンズ群Ｇ１は、物体側から順に、物体側に凸面を向けた負メニスカスレンズＬ１１と、反射光学素子であるプリズムＰと、両凸正レンズＬ１２と、両凸正レンズＬ１３と、で構成されており、全体で正の屈折力を有している。ここで、負メニスカスレンズＬ１１とプリズムＰは、前群Ｇ１ｆを構成し、負の屈折力を有する。両凸正レンズＬ１２と両凸正レンズＬ１３は、後群Ｇ１ｂを構成し、正の屈折力を有する。
【００８７】
第２レンズ群Ｇ２は、物体側から順に、両凹負レンズＬ２１と、両凹負レンズＬ２２と両凸正レンズＬ２３の接合レンズＳＵ２１と、で構成されており、全体で負の屈折力を有している。
【００８８】
第３レンズ群Ｇ３は、物体側から順に、絞りＳと、物体側に凸面を向けた正メニスカスレンズＬ３１と、で構成されており、全体で正の屈折力を有している。
【００８９】
第４レンズ群Ｇ４は、物体側から順に、両凸正レンズＬ４１と、物体側に凸面を向けた負メニスカスレンズＬ４２と、で構成されており、全体で正の屈折力を有している。
【００９０】
第５レンズ群Ｇ５は、両凹負レンズＬ５１で構成されており、負の屈折力を有している。
【００９１】
第６レンズ群Ｇ６は、両凸正レンズＬ６１で構成されており、正の屈折力を有している。
【００９２】
第１レンズ群Ｇ１、第３レンズ群Ｇ３及び第６レンズ群Ｇ６は、常時固定である。広角端から望遠端へと変倍する際には、第２レンズ群Ｇ２は第３レンズ群Ｇ３との間隔を狭めながら像側へ移動する。第４レンズ群Ｇ４は、広角端から望遠端まで第３レンズ群Ｇ３との間隔を狭めながら物体側へ移動する。第５レンズ群Ｇ５は、広角端から中間状態までは第６レンズ群Ｇ６との間隔を狭めながら像側へ移動し、中間状態から望遠端までは第６レンズ群Ｇ６との間隔を広げながら物体側へ移動する。
【００９３】
非球面は、第１レンズ群Ｇ１の負メニスカスレンズＬ１１の像側の面ｒ２、第２レンズ群Ｇ２の両凹負レンズＬ２１の像側の面ｒ１０、第３レンズ群Ｇ３の正メニスカスレンズＬ３１の物体側の面ｒ１５、第４レンズ群Ｇ４の両凸正レンズＬ４１の物体側の面ｒ１７、及び第４レンズ群Ｇ４の負メニスカスレンズＬ４２の像側の面ｒ２０の５面である。
【００９４】
実施例３における結像光学系のズームレンズについて説明する。図３は実施例３におけるズームレンズの光学構成を示す光軸に沿う断面図であり、（ａ）は広角端、（ｂ）は中間焦点距離状態、（ｃ）は望遠端での断面図である。
【００９５】
実施例３の結像光学系のズームレンズは、図３に示すように、物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とを有している。
【００９６】
第１レンズ群Ｇ１は、物体側から順に、物体側に凸面を向けた負メニスカスレンズＬ１１と、反射光学素子であるプリズムＰと、両凸正レンズＬ１２と、物体側に凸面を向けた正メニスカスレンズＬ１３と、で構成されており、全体で正の屈折力を有している。ここで、負メニスカスレンズＬ１１とプリズムＰは、前群Ｇ１ｆを構成し、負の屈折力を有する。両凸正レンズＬ１２と正メニスカスレンズＬ１３は、後群Ｇ１ｂを構成し、正の屈折力を有する。
【００９７】
第２レンズ群Ｇ２は、物体側から順に、両凹負レンズＬ２１と、両凹負レンズＬ２２と両凸正レンズＬ２３の接合レンズＳＵ２１と、で構成されており、全体で負の屈折力を有している。
【００９８】
第３レンズ群Ｇ３は、物体側から順に、絞りＳと、物体側に凸面を向けた正メニスカスレンズＬ３１と、で構成されており、全体で正の屈折力を有している。
【００９９】
第４レンズ群Ｇ４は、物体側から順に、両凸正レンズＬ４１と、物体側に凸面を向けた正メニスカスレンズＬ４２と物体側に凸面を向けた負メニスカスレンズＬ４３の接合レンズＳＵ４１と、で構成されており、全体で正の屈折力を有している。
【０１００】
第５レンズ群Ｇ５は、像側に凸面を向けた負メニスカスレンズＬ５１で構成されており、負の屈折力を有している。
【０１０１】
第６レンズ群Ｇ６は、両凸正レンズＬ６１で構成されており、正の屈折力を有している。
【０１０２】
第１レンズ群Ｇ１、第３レンズ群Ｇ３及び第６レンズ群Ｇ６は、常時固定である。広角端から望遠端へと変倍する際には、第２レンズ群Ｇ２は第３レンズ群Ｇ３との間隔を狭めながら像側へ移動する。第４レンズ群Ｇ４は、広角端から望遠端まで第３レンズ群Ｇ３との間隔を狭めながら物体側へ移動する。第５レンズ群Ｇ５は、広角端から望遠端まで第６レンズ群Ｇ６との間隔を広げながら物体側へ移動する。
【０１０３】
非球面は、第３レンズ群Ｇ３の正メニスカスレンズＬ３１の物体側の面ｒ１５、及び第４レンズ群Ｇ４の両凸正レンズＬ４１の両面ｒ１７，ｒ１８の３面である。
【０１０４】
実施例４における結像光学系のズームレンズについて説明する。図４は実施例４におけるズームレンズの光学構成を示す光軸に沿う断面図であり、（ａ）は広角端、（ｂ）は中間焦点距離状態、（ｃ）は望遠端での断面図である。
【０１０５】
実施例４の結像光学系のズームレンズは、図４に示すように、物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とを有している。
【０１０６】
第１レンズ群Ｇ１は、物体側から順に、物体側に凸面を向けた負メニスカスレンズＬ１１と、反射光学素子であるプリズムＰと像側に凸面を向けた平凸正レンズＬ１２の接合レンズＳＵ１１と、両凸正レンズＬ１３と、で構成されており、全体で正の屈折力を有している。ここで、負メニスカスレンズＬ１１は、前群Ｇ１ｆを構成し、負の屈折力を有する。プリズムＰと平凸正レンズＬ１３の接合レンズＳＵ１１と両凸正レンズＬ１２は、後群Ｇ１ｂを構成し、正の屈折力を有する。
【０１０７】
第２レンズ群Ｇ２は、物体側から順に、物体側に凸面を向けた負メニスカスレンズＬ２１と、両凹負レンズＬ２２と両凸正レンズＬ２３の接合レンズＳＵ２１と、で構成されており、全体で負の屈折力を有している。
【０１０８】
第３レンズ群Ｇ３は、物体側から順に、絞りＳと、両凸正レンズＬ３１と、で構成されており、全体で正の屈折力を有している。
【０１０９】
第４レンズ群Ｇ４は、物体側から順に、両凸正レンズＬ４１と、物体側に凸面を向けた負メニスカスレンズＬ４２と、で構成されており、全体で正の屈折力を有している。
【０１１０】
第５レンズ群Ｇ５は、像側に凸面を向けた負メニスカスレンズＬ５１で構成されており、負の屈折力を有している。
【０１１１】
第６レンズ群Ｇ６は、両凸正レンズＬ６１で構成されており、正の屈折力を有している。
【０１１２】
第１レンズ群Ｇ１、第３レンズ群Ｇ３及び第６レンズ群Ｇ６は、常時固定である。広角端から望遠端へと変倍する際には、第２レンズ群Ｇ２は第３レンズ群Ｇ３との間隔を狭めながら像側へ移動する。第４レンズ群Ｇ４は、広角端から望遠端まで第３レンズ群Ｇ３との間隔を狭めながら物体側へ移動する。第５レンズ群Ｇ５は、広角端から望遠端まで第６レンズ群Ｇ６との間隔を広げながら物体側へ移動する。
【０１１３】
非球面は、第１レンズ群Ｇ１の負メニスカスレンズＬ１１の像側の面ｒ２、第３レンズ群Ｇ３の両凸正レンズＬ３１の物体側の面ｒ１４、第４レンズ群Ｇ４の両凸正レンズＬ４１の物体側の面ｒ１６、及び第４レンズ群Ｇ４の負メニスカスレンズＬ４２の像側の面ｒ１９の４面である。
【０１１４】
実施例５における結像光学系のズームレンズについて説明する。図５は実施例５におけるズームレンズの光学構成を示す光軸に沿う断面図であり、（ａ）は広角端、（ｂ）は中間焦点距離状態、（ｃ）は望遠端での断面図である。
【０１１５】
実施例５の結像光学系のズームレンズは、図５に示すように、物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とを有している。
【０１１６】
第１レンズ群Ｇ１は、物体側から順に、物体側に凸面を向けた負メニスカスレンズＬ１１と、反射光学素子であるプリズムＰと、両凸正レンズＬ１２と、物体側に凸面を向けた正メニスカスレンズＬ１３と、で構成されており、全体で正の屈折力を有している。ここで、負メニスカスレンズＬ１１とプリズムＰは、前群Ｇ１ｆを構成し、負の屈折力を有する。両凸正レンズＬ１２と正メニスカスレンズＬ１３は、後群Ｇ１ｂを構成し、正の屈折力を有する。
【０１１７】
第２レンズ群Ｇ２は、物体側から順に、両凹負レンズＬ２１と、両凹負レンズＬ２２と両凸正レンズＬ２３の接合レンズＳＵ２１と、で構成されており、全体で負の屈折力を有している。
【０１１８】
第３レンズ群Ｇ３は、物体側から順に、絞りＳと、物体側に凸面を向けた正メニスカスレンズＬ３１と、で構成されており、全体で正の屈折力を有している。
【０１１９】
第４レンズ群Ｇ４は、物体側から順に、両凸正レンズＬ４１と、物体側に凸面を向けた正メニスカスレンズＬ４２と物体側に凸面を向けた負メニスカスレンズＬ４３の接合レンズＳＵ４１と、で構成されており、全体で正の屈折力を有している。
【０１２０】
第５レンズ群Ｇ５は、像側に凸面を向けた負メニスカスレンズＬ５１で構成されており、負の屈折力を有している。
【０１２１】
第６レンズ群Ｇ６は、両凸正レンズＬ６１で構成されており、正の屈折力を有している。
【０１２２】
第１レンズ群Ｇ１、第３レンズ群Ｇ３及び第６レンズ群Ｇ６は、常時固定である。広角端から望遠端へと変倍する際には、第２レンズ群Ｇ２は第３レンズ群Ｇ３との間隔を狭めながら像側へ移動する。第４レンズ群Ｇ４は、広角端から望遠端まで第３レンズ群Ｇ３との間隔を狭めながら物体側へ移動する。第５レンズ群Ｇ５は、広角端から望遠端まで第６レンズ群Ｇ６との間隔を広げながら物体側へ移動する。
【０１２３】
非球面は、第３レンズ群Ｇ３の正メニスカスレンズＬ３１の物体側の面ｒ１５、及び第４レンズ群Ｇ４の両凸正レンズＬ４１の両面ｒ１７，ｒ１８の３面である。
【０１２４】
実施例６における結像光学系のズームレンズについて説明する。図６は実施例６におけるズームレンズの光学構成を示す光軸に沿う断面図であり、（ａ）は広角端、（ｂ）は中間焦点距離状態、（ｃ）は望遠端での断面図である。
【０１２５】
実施例６の結像光学系のズームレンズは、図６に示すように、物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とを有している。
【０１２６】
第１レンズ群Ｇ１は、物体側から順に、物体側に凸面を向けた負メニスカスレンズＬ１１と、反射光学素子であるプリズムＰと、両凸正レンズＬ１２と、両凸正レンズＬ１３と、で構成されており、全体で正の屈折力を有している。ここで、負メニスカスレンズＬ１１とプリズムＰは、前群Ｇ１ｆを構成し、負の屈折力を有する。両凸正レンズＬ１２と両凸正レンズＬ１３は、後群Ｇ１ｂを構成し、正の屈折力を有する。
【０１２７】
第２レンズ群Ｇ２は、物体側から順に、両凹負レンズＬ２１と、両凹負レンズＬ２２と両凸正レンズＬ２３の接合レンズＳＵ２１と、で構成されており、全体で負の屈折力を有している。
【０１２８】
第３レンズ群Ｇ３は、物体側から順に、絞りＳと、物体側に凸面を向けた正メニスカスレンズＬ３１と、で構成されており、全体で正の屈折力を有している。
【０１２９】
第４レンズ群Ｇ４は、物体側から順に、両凸正レンズＬ４１と、物体側に凸面を向けた正メニスカスレンズＬ４２と物体側に凸面を向けた負メニスカスレンズＬ４３の接合レンズＳＵ４１と、で構成されており、全体で正の屈折力を有している。
【０１３０】
第５レンズ群Ｇ５は、像側に凸面を向けた負メニスカスレンズＬ５１で構成されており、負の屈折力を有している。
【０１３１】
第６レンズ群Ｇ６は、両凸正レンズＬ６１で構成されており、正の屈折力を有している。
【０１３２】
第１レンズ群Ｇ１、第３レンズ群Ｇ３及び第６レンズ群Ｇ６は、常時固定である。広角端から望遠端へと変倍する際には、第２レンズ群Ｇ２は第３レンズ群Ｇ３との間隔を狭めながら像側へ移動する。第４レンズ群Ｇ４は、広角端から望遠端まで第３レンズ群Ｇ３との間隔を狭めながら物体側へ移動する。第５レンズ群Ｇ５は、広角端から中間状態までは第６レンズ群Ｇ６との間隔を狭めながら像側へ移動し、中間状態から望遠端までは第６レンズ群Ｇ６との間隔を広げながら物体側へ移動する。
【０１３３】
非球面は、第１レンズ群Ｇ１の負メニスカスレンズＬ１１の像側の面ｒ２、第２レンズ群Ｇ２の両凹負レンズＬ２１の像側の面ｒ１０、第３レンズ群Ｇ３の正メニスカスレンズＬ３１の物体側の面ｒ１５、及び第４レンズ群Ｇ４の両凸正レンズＬ４１の両面ｒ１７，ｒ１８の５面である。
【０１３４】
実施例７における結像光学系のズームレンズについて説明する。図７は実施例７におけるズームレンズの光学構成を示す光軸に沿う断面図であり、（ａ）は広角端、（ｂ）は中間焦点距離状態、（ｃ）は望遠端での断面図である。
【０１３５】
実施例７の結像光学系のズームレンズは、図７に示すように、物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とを有している。
【０１３６】
第１レンズ群Ｇ１は、物体側から順に、像側に凹面を向けた平凹負レンズＬ１１と、反射光学素子であるプリズムＰと、両凸正レンズＬ１２と、両凸正レンズＬ１３と、で構成されており、全体で正の屈折力を有している。ここで、平凹レンズＬ１１とプリズムＰは、前群Ｇ１ｆを構成し、負の屈折力を有する。両凸正レンズＬ１２と両凸正レンズＬ１３は、後群Ｇ１ｂを構成し、正の屈折力を有する。
【０１３７】
第２レンズ群Ｇ２は、物体側から順に、両凹負レンズＬ２１と、両凹負レンズＬ２２と両凸正レンズＬ２３の接合レンズＳＵ２１と、で構成されており、全体で負の屈折力を有している。
【０１３８】
第３レンズ群Ｇ３は、物体側から順に、絞りＳと、物体側に凸面を向けた正メニスカスレンズＬ３１と、で構成されており、全体で正の屈折力を有している。
【０１３９】
第４レンズ群Ｇ４は、物体側から順に、両凸正レンズＬ４１と、両凸正レンズＬ４２と両凹負レンズＬ４３の接合レンズＳＵ４１と、で構成されており、全体で正の屈折力を有している。
【０１４０】
第５レンズ群Ｇ５は、両凹負レンズＬ５１で構成されており、負の屈折力を有している。
【０１４１】
第６レンズ群Ｇ６は、両凸正レンズＬ６１で構成されており、正の屈折力を有している。
【０１４２】
第１レンズ群Ｇ１、第３レンズ群Ｇ３及び第６レンズ群Ｇ６は、常時固定である。広角端から望遠端へと変倍する際には、第２レンズ群Ｇ２は第３レンズ群Ｇ３との間隔を狭めながら像側へ移動する。第４レンズ群Ｇ４は、広角端から望遠端まで第３レンズ群Ｇ３との間隔を狭めながら物体側へ移動する。第５レンズ群Ｇ５は、広角端から中間状態までは第６レンズ群Ｇ６との間隔を狭めながら像側へ移動し、中間状態から望遠端までは第６レンズ群Ｇ６との間隔を広げながら物体側へ移動する。
【０１４３】
非球面は、第１レンズ群Ｇ１の平凹負レンズＬ１１の像側の面ｒ２、第２レンズ群Ｇ２の両凹負レンズＬ２１の像側の面ｒ１０、第３レンズ群Ｇ３の正メニスカスレンズＬ３１の物体側の面ｒ１５、第４レンズ群Ｇ４の両凸正レンズＬ４１の両面ｒ１７，ｒ１８、
第４レンズ群Ｇ４の接合レンズＳＵ４１を構成する両凹負レンズＬ４３の像側の面ｒ２１、及び第６レンズ群Ｇ６の両凸正レンズＬ６１の像側の面ｒ２５の７面である。
【０１４４】
実施例８における結像光学系のズームレンズについて説明する。図８は実施例８におけるズームレンズの光学構成を示す光軸に沿う断面図であり、（ａ）は広角端、（ｂ）は中間焦点距離状態、（ｃ）は望遠端での断面図である。
【０１４５】
実施例８の結像光学系のズームレンズは、図８に示すように、物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とを有している。
【０１４６】
第１レンズ群Ｇ１は、物体側から順に、物体側に凸面を向けた負メニスカスレンズＬ１１と、反射光学素子であるプリズムＰと、両凸正レンズＬ１２と、両凸正レンズＬ１３と、で構成されており、全体で正の屈折力を有している。ここで、負メニスカスレンズＬ１１とプリズムＰは、前群Ｇ１ｆを構成し、負の屈折力を有する。両凸正レンズＬ１２と両凸正レンズＬ１３は、後群Ｇ１ｂを構成し、正の屈折力を有する。
【０１４７】
第２レンズ群Ｇ２は、物体側から順に、両凹負レンズＬ２１と、両凹負レンズＬ２２と、両凸正レンズＬ２３と両凹負レンズＬ２４の接合レンズＳＵ２１と、で構成されており、全体で負の屈折力を有している。
【０１４８】
第３レンズ群Ｇ３は、物体側から順に、絞りＳと、物体側に凸面を向けた正メニスカスレンズＬ３１と、で構成されており、全体で正の屈折力を有している。
【０１４９】
第４レンズ群Ｇ４は、物体側から順に、両凸正レンズＬ４１と、物体側に凸面を向けた負メニスカスレンズＬ４２と、で構成されており、全体で正の屈折力を有している。
【０１５０】
第５レンズ群Ｇ５は、物体側に凸面を向けた負メニスカスレンズＬ５１で構成されており、負の屈折力を有している。
【０１５１】
第６レンズ群Ｇ６は、両凸正レンズＬ６１で構成されており、正の屈折力を有している。
【０１５２】
第１レンズ群Ｇ１、第３レンズ群Ｇ３及び第６レンズ群Ｇ６は、常時固定である。広角端から望遠端へと変倍する際には、第２レンズ群Ｇ２は第３レンズ群Ｇ３との間隔を狭めながら像側へ移動する。第４レンズ群Ｇ４は、広角端から望遠端まで第３レンズ群Ｇ３との間隔を狭めながら物体側へ移動する。第５レンズ群Ｇ５は、広角端から望遠端まで第６レンズ群Ｇ６との間隔を広げながら物体側へ移動する。
【０１５３】
非球面は、第１レンズ群Ｇ１の負メニスカスレンズＬ１１の像側の面ｒ２、第２レンズ群Ｇ２の最も物体側の両凹負レンズＬ２１の像側の面ｒ１０、第３レンズ群Ｇ３の正メニスカスレンズＬ３１の物体側の面ｒ１７、第４レンズ群Ｇ４の両凸正レンズＬ４１の物体側の面ｒ１９、第４レンズ群Ｇ４の負メニスカスレンズＬ４２の像側の面ｒ２２、及び第６レンズ群Ｇ６の両凸正レンズＬ６１の物体側の面ｒ２５の６面である。
【０１５４】
実施例９における結像光学系のズームレンズについて説明する。図９は実施例９におけるズームレンズの光学構成を示す光軸に沿う断面図であり、（ａ）は広角端、（ｂ）は中間焦点距離状態、（ｃ）は望遠端での断面図である。
【０１５５】
実施例９の結像光学系のズームレンズは、図９に示すように、物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とを有している。
【０１５６】
第１レンズ群Ｇ１は、物体側から順に、物体側に凸面を向けた負メニスカスレンズＬ１１と、反射光学素子であるプリズムＰと、両凸正レンズＬ１２と、両凸正レンズＬ１３と、で構成されており、全体で正の屈折力を有している。ここで、負メニスカスレンズＬ１１とプリズムＰは、前群Ｇ１ｆを構成し、負の屈折力を有する。両凸正レンズＬ１２と両凸正レンズＬ１３は、後群Ｇ１ｂを構成し、正の屈折力を有する。
【０１５７】
第２レンズ群Ｇ２は、物体側から順に、両凹負レンズＬ２１と、両凹負レンズＬ２２と、両凸正レンズＬ２３と両凹負レンズＬ２４の接合レンズＳＵ２１と、で構成されており、全体で負の屈折力を有している。
【０１５８】
第３レンズ群Ｇ３は、物体側から順に、絞りＳと、物体側に凸面を向けた正メニスカスレンズＬ３１と、で構成されており、全体で正の屈折力を有している。
【０１５９】
第４レンズ群Ｇ４は、物体側から順に、両凸正レンズＬ４１と、物体側に凸面を向けた負メニスカスレンズＬ４２と、で構成されており、全体で正の屈折力を有している。
【０１６０】
第５レンズ群Ｇ５は、両凹負レンズＬ５１で構成されており、負の屈折力を有している。
【０１６１】
第６レンズ群Ｇ６は、両凸正レンズＬ６１で構成されており、正の屈折力を有している。
【０１６２】
第１レンズ群Ｇ１、第３レンズ群Ｇ３及び第６レンズ群Ｇ６は、常時固定である。広角端から望遠端へと変倍する際には、第２レンズ群Ｇ２は第３レンズ群Ｇ３との間隔を狭めながら像側へ移動する。第４レンズ群Ｇ４は、広角端から望遠端まで第３レンズ群Ｇ３との間隔を狭めながら物体側へ移動する。第５レンズ群Ｇ５は、広角端から望遠端まで第６レンズ群Ｇ６との間隔を広げながら物体側へ移動する。
【０１６３】
非球面は、第１レンズ群Ｇ１の負メニスカスレンズＬ１１の像側の面ｒ２、第２レンズ群Ｇ２の最も物体側の両凹負レンズＬ２１の像側の面ｒ１０、第２レンズ群Ｇ２の接合レンズＳＵ２１を構成する像側の両凹負レンズＬ２４の像側の面ｒ１４、第３レンズ群Ｇ３の正メニスカスレンズＬ３１の物体側の面ｒ１６、第４レンズ群Ｇ４の両凸正レンズＬ４１の物体側の面ｒ１８、第４レンズ群Ｇ４の負メニスカスレンズＬ４２の像側の面ｒ２１、及び第６レンズ群Ｇ６の両凸正レンズＬ６１の物体側の面ｒ２４の７面である。
【０１６４】
実施例１０における結像光学系のズームレンズについて説明する。図１０は実施例１０におけるズームレンズの光学構成を示す光軸に沿う断面図であり、（ａ）は広角端、（ｂ）は中間焦点距離状態、（ｃ）は望遠端での断面図である。
【０１６５】
実施例１０の結像光学系のズームレンズは、図１０に示すように、物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とを有している。
【０１６６】
第１レンズ群Ｇ１は、物体側から順に、物体側に凸面を向けた負メニスカスレンズＬ１１と、反射光学素子であるプリズムＰと、両凸正レンズＬ１２と、両凸正レンズＬ１３と、で構成されており、全体で正の屈折力を有している。ここで、負メニスカスレンズＬ１１とプリズムＰは、前群Ｇ１ｆを構成し、負の屈折力を有する。両凸正レンズＬ１２と両凸正レンズＬ１３は、後群Ｇ１ｂを構成し、正の屈折力を有する。
【０１６７】
第２レンズ群Ｇ２は、物体側から順に、両凹負レンズＬ２１と、両凹負レンズＬ２２と物体側に凸面を向けた正メニスカスレンズＬ２３の接合レンズＳＵ２１と、で構成されており、全体で負の屈折力を有している。
【０１６８】
第３レンズ群Ｇ３は、物体側から順に、絞りＳと、物体側に凸面を向けた正メニスカスレンズＬ３１と、で構成されており、全体で正の屈折力を有している。
【０１６９】
第４レンズ群Ｇ４は、物体側から順に、両凸正レンズＬ４１と、両凸正レンズＬ４２と、物体側に凸面を向けた負メニスカスレンズＬ４３と、で構成されており、全体で正の屈折力を有している。
【０１７０】
第５レンズ群Ｇ５は、両凹負レンズＬ５１で構成されており、負の屈折力を有している。
【０１７１】
第６レンズ群Ｇ６は、両凸正レンズＬ６１で構成されており、正の屈折力を有している。
【０１７２】
第１レンズ群Ｇ１、第３レンズ群Ｇ３及び第６レンズ群Ｇ６は、常時固定である。広角端から望遠端へと変倍する際には、第２レンズ群Ｇ２は第３レンズ群Ｇ３との間隔を狭めながら像側へ移動する。第４レンズ群Ｇ４は、広角端から望遠端まで第３レンズ群Ｇ３との間隔を狭めながら物体側へ移動する。第５レンズ群Ｇ５は、広角端から望遠端まで第６レンズ群Ｇ６との間隔を広げながら物体側へ移動する。
【０１７３】
非球面は、第１レンズ群Ｇ１の負メニスカスレンズＬ１１の像側の面ｒ２、第２レンズ群Ｇ２の両凹負レンズＬ２１の像側の面ｒ１０、第３レンズ群Ｇ３の正メニスカスレンズＬ３１の物体側の面ｒ１５、第４レンズ群Ｇ４の物体側の両凸正レンズＬ４１の物体側の面ｒ１７、及び第４レンズ群Ｇ４の負メニスカスレンズＬ４３の像側の面ｒ２２の５面である。
【０１７４】
実施例１１における結像光学系のズームレンズについて説明する。図１１は実施例１１におけるズームレンズの光学構成を示す光軸に沿う断面図であり、（ａ）は広角端、（ｂ）は中間焦点距離状態、（ｃ）は望遠端での断面図である。
【０１７５】
実施例１１の結像光学系のズームレンズは、図１１に示すように、物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とを有している。
【０１７６】
第１レンズ群Ｇ１は、物体側から順に、物体側に凸面を向けた負メニスカスレンズＬ１１と、反射光学素子であるプリズムＰと、両凸正レンズＬ１２と、両凸正レンズＬ１３と、で構成されており、全体で正の屈折力を有している。ここで、負メニスカスレンズＬ１１とプリズムＰは、前群Ｇ１ｆを構成し、負の屈折力を有する。両凸正レンズＬ１２と両凸正レンズＬ１３は、後群Ｇ１ｂを構成し、正の屈折力を有する。
【０１７７】
第２レンズ群Ｇ２は、物体側から順に、両凹負レンズＬ２１と、両凹負レンズＬ２２と物体側に凸面を向けた正メニスカスレンズＬ２３の接合レンズＳＵ２１と、で構成されており、全体で負の屈折力を有している。
【０１７８】
第３レンズ群Ｇ３は、物体側から順に、絞りＳと、物体側に凸面を向けた正メニスカスレンズＬ３１と、で構成されており、全体で正の屈折力を有している。
【０１７９】
第４レンズ群Ｇ４は、物体側から順に、両凸正レンズＬ４１と、両凹負レンズＬ４２と、で構成されており、全体で正の屈折力を有している。
【０１８０】
第５レンズ群Ｇ５は、両凹負レンズＬ５１と、両凹負レンズＬ５２と、で構成されており、負の屈折力を有している。
【０１８１】
第６レンズ群Ｇ６は、両凸正レンズＬ６１で構成されており、正の屈折力を有している。
【０１８２】
第１レンズ群Ｇ１、第３レンズ群Ｇ３及び第６レンズ群Ｇ６は、常時固定である。広角端から望遠端へと変倍する際には、第２レンズ群Ｇ２は第３レンズ群Ｇ３との間隔を狭めながら像側へ移動する。第４レンズ群Ｇ４は、広角端から望遠端まで第３レンズ群Ｇ３との間隔を狭めながら物体側へ移動する。第５レンズ群Ｇ５は、広角端から望遠端まで第６レンズ群Ｇ６との間隔を広げながら物体側へ移動する。
【０１８３】
非球面は、第１レンズ群Ｇ１の負メニスカスレンズＬ１１の像側の面ｒ２、第２レンズ群Ｇ２の両凹負レンズＬ２１の像側の面ｒ１０、第３レンズ群Ｇ３の正メニスカスレンズＬ３１の物体側の面ｒ１５、第４レンズ群Ｇ４の両凸正レンズＬ４１の物体側の面ｒ１７、第４レンズ群Ｇ４の両凹負レンズＬ４２の像側の面ｒ２０、第５レンズ群Ｇ５の物体側の両凹負レンズＬ５１の像側の面ｒ２２、及び第５レンズ群Ｇ５の像側の両凹負レンズＬ５２の物体側の面ｒ２３、の７面である。
【０１８４】
実施例１２における結像光学系のズームレンズについて説明する。図１２は実施例１２におけるズームレンズの光学構成を示す光軸に沿う断面図であり、（ａ）は広角端、（ｂ）は中間焦点距離状態、（ｃ）は望遠端での断面図である。
【０１８５】
実施例１２の結像光学系のズームレンズは、図１２に示すように、物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とを有している。
【０１８６】
第１レンズ群Ｇ１は、物体側から順に、物体側に凸面を向けた負メニスカスレンズＬ１１と、反射光学素子であるプリズムＰと、両凸正レンズＬ１２と、両凸正レンズＬ１３と、で構成されており、全体で正の屈折力を有している。ここで、負メニスカスレンズＬ１１とプリズムＰは、前群Ｇ１ｆを構成し、負の屈折力を有する。両凸正レンズＬ１２と両凸正レンズＬ１３は、後群Ｇ１ｂを構成し、正の屈折力を有する。
【０１８７】
第２レンズ群Ｇ２は、物体側から順に、両凹負レンズＬ２１と、両凹負レンズＬ２２と物体側に凸面を向けた平凸正レンズＬ２３の接合レンズＳＵ２１と、で構成されており、全体で負の屈折力を有している。
【０１８８】
第３レンズ群Ｇ３は、物体側から順に、絞りＳと、物体側に凸面を向けた正メニスカスレンズＬ３１と、で構成されており、全体で正の屈折力を有している。
【０１８９】
第４レンズ群Ｇ４は、物体側から順に、両凸正レンズＬ４１と、物体側に凸面を向けた負メニスカスレンズＬ４２と、で構成されており、全体で正の屈折力を有している。
【０１９０】
第５レンズ群Ｇ５は、両凹負レンズＬ５１と物体側に凸面を向けた正メニスカスレンズＬ５２の接合レンズＳＵ５１と、で構成されており、負の屈折力を有している。
【０１９１】
第６レンズ群Ｇ６は、両凸正レンズＬ６１で構成されており、正の屈折力を有している。
【０１９２】
第１レンズ群Ｇ１、第３レンズ群Ｇ３及び第６レンズ群Ｇ６は、常時固定である。広角端から望遠端へと変倍する際には、第２レンズ群Ｇ２は第３レンズ群Ｇ３との間隔を狭めながら像側へ移動する。第４レンズ群Ｇ４は、広角端から望遠端まで第３レンズ群Ｇ３との間隔を狭めながら物体側へ移動する。第５レンズ群Ｇ５は、広角端から望遠端まで第６レンズ群Ｇ６との間隔を広げながら物体側へ移動する。
【０１９３】
非球面は、第１レンズ群Ｇ１の負メニスカスレンズＬ１１の像側の面ｒ２、第２レンズ群Ｇ２の物体側の両凹負レンズＬ２１の像側の面ｒ１０、第３レンズ群Ｇ３の正メニスカスレンズＬ３１の物体側の面ｒ１５、第４レンズ群Ｇ４の両凸正レンズＬ４１の物体側の面ｒ１７、及び第４レンズ群Ｇ４の負メニスカスレンズＬ４２の像側の面ｒ２０の５面である。
【０１９４】
実施例１３における結像光学系のズームレンズについて説明する。図１３は実施例１３におけるズームレンズの光学構成を示す光軸に沿う断面図であり、（ａ）は広角端、（ｂ）は中間焦点距離状態、（ｃ）は望遠端での断面図である。
【０１９５】
実施例１３の結像光学系のズームレンズは、図１３に示すように、物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とを有している。
【０１９６】
第１レンズ群Ｇ１は、物体側から順に、物体側に凸面を向けた負メニスカスレンズＬ１１と、反射光学素子であるプリズムＰと、両凸正レンズＬ１２と、両凸正レンズＬ１３と、で構成されており、全体で正の屈折力を有している。ここで、負メニスカスレンズＬ１１とプリズムＰは、前群Ｇ１ｆを構成し、負の屈折力を有する。両凸正レンズＬ１２と両凸正レンズＬ１３は、後群Ｇ１ｂを構成し、正の屈折力を有する。
【０１９７】
第２レンズ群Ｇ２は、物体側から順に、両凹負レンズＬ２１と、両凹負レンズＬ２２と両凸正レンズＬ２３の接合レンズＳＵ２１と、で構成されており、全体で負の屈折力を有している。
【０１９８】
第３レンズ群Ｇ３は、物体側から順に、絞りＳと、物体側に凸面を向けた正メニスカスレンズＬ３１と、で構成されており、全体で正の屈折力を有している。
【０１９９】
第４レンズ群Ｇ４は、物体側から順に、両凸正レンズＬ４１と、物体側に凸面を向けた負メニスカスレンズＬ４２と、で構成されており、全体で正の屈折力を有している。
【０２００】
第５レンズ群Ｇ５は、両凹負レンズＬ５１と、物体側に凸面を向けた正メニスカスレンズＬ５２と、で構成されており、負の屈折力を有している。
【０２０１】
第６レンズ群Ｇ６は、両凸正レンズＬ６１で構成されており、正の屈折力を有している。
【０２０２】
第１レンズ群Ｇ１、第３レンズ群Ｇ３及び第６レンズ群Ｇ６は、常時固定である。広角端から望遠端へと変倍する際には、第２レンズ群Ｇ２は第３レンズ群Ｇ３との間隔を狭めながら像側へ移動する。第４レンズ群Ｇ４は、広角端から望遠端まで第３レンズ群Ｇ３との間隔を狭めながら物体側へ移動する。第５レンズ群Ｇ５は、広角端から望遠端まで第６レンズ群Ｇ６との間隔を広げながら物体側へ移動する。
【０２０３】
非球面は、第１レンズ群Ｇ１の負メニスカスレンズＬ１１の像側の面ｒ２、第２レンズ群Ｇ２の物体側の両凹負レンズＬ２１の像側の面ｒ１０、第３レンズ群Ｇ３の正メニスカスレンズＬ３１の物体側の面ｒ１５、第４レンズ群Ｇ４の両凸正レンズＬ４１の物体側の面ｒ１７、及び第４レンズ群Ｇ４の負メニスカスレンズＬ４２の像側の面ｒ２０の５面である。
【０２０４】
実施例１４における結像光学系のズームレンズについて説明する。図１４は実施例１４におけるズームレンズの光学構成を示す光軸に沿う断面図であり、（ａ）は広角端、（ｂ）は中間焦点距離状態、（ｃ）は望遠端での断面図である。
【０２０５】
実施例１４の結像光学系のズームレンズは、図１４に示すように、物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とを有している。
【０２０６】
第１レンズ群Ｇ１は、物体側から順に、物体側に凸面を向けた負メニスカスレンズＬ１１と、反射光学素子であるプリズムＰと、両凸正レンズＬ１２と、両凸正レンズＬ１３と、で構成されており、全体で正の屈折力を有している。ここで、負メニスカスレンズＬ１１とプリズムＰは、前群Ｇ１ｆを構成し、負の屈折力を有する。両凸正レンズＬ１２と両凸正レンズＬ１３は、後群Ｇ１ｂを構成し、正の屈折力を有する。
【０２０７】
第２レンズ群Ｇ２は、物体側から順に、両凹負レンズＬ２１と、両凹負レンズＬ２２と物体側に凸面を向けた正メニスカスレンズＬ２３の接合レンズＳＵ２１と、で構成されており、全体で負の屈折力を有している。
【０２０８】
第３レンズ群Ｇ３は、物体側から順に、絞りＳと、物体側に凸面を向けた正メニスカスレンズＬ３１と、で構成されており、全体で正の屈折力を有している。
【０２０９】
第４レンズ群Ｇ４は、物体側から順に、両凸正レンズＬ４１と、物体側に凸面を向けた平凸正レンズＬ４２と像側に凹面を向けた平凹負レンズＬ４３の接合レンズＳＵ４１と、で構成されており、全体で正の屈折力を有している。
【０２１０】
第５レンズ群Ｇ５は、両凹負レンズＬ５１で構成されており、負の屈折力を有している。
【０２１１】
第６レンズ群Ｇ６は、両凸正レンズＬ６１で構成されており、正の屈折力を有している。
【０２１２】
第１レンズ群Ｇ１及び第６レンズ群Ｇ６は、常時固定である。広角端から望遠端へと変倍する際には、第２レンズ群Ｇ２は第３レンズ群Ｇ３との間隔を狭めながら像側へ移動する。第４レンズ群Ｇ４は、広角端から望遠端まで第３レンズ群Ｇ３との間隔を狭めながら物体側へ移動する。第５レンズ群Ｇ５は、広角端から望遠端まで第６レンズ群Ｇ６との間隔を広げながら物体側へ移動する。
【０２１３】
非球面は、第１レンズ群Ｇ１の負メニスカスレンズＬ１１の像側の面ｒ２、第３レンズ群Ｇ３の正メニスカスレンズＬ３１の物体側の面ｒ１５、第４レンズ群Ｇ４の接合レンズＳＵ４１を構成する平凸正レンズＬ４１の物体側の面ｒ１９、及び第４レンズ群Ｇ４の接合レンズＳＵ４１を構成する平凹負レンズＬ４２の像側の面ｒ２１の４面である。
【０２１４】
実施例１５における結像光学系のズームレンズについて説明する。図１５は実施例１５におけるズームレンズの光学構成を示す光軸に沿う断面図であり、（ａ）は広角端、（ｂ）は中間焦点距離状態、（ｃ）は望遠端での断面図である。
【０２１５】
実施例１５の結像光学系のズームレンズは、図１５に示すように、物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とを有している。
【０２１６】
第１レンズ群Ｇ１は、物体側から順に、物体側に凸面を向けた負メニスカスレンズＬ１１と、反射光学素子であるプリズムＰと、両凸正レンズＬ１２と、両凸正レンズＬ１３と、で構成されており、全体で正の屈折力を有している。ここで、負メニスカスレンズＬ１１とプリズムＰは、前群Ｇ１ｆを構成し、負の屈折力を有する。両凸正レンズＬ１２と両凸正レンズＬ１３は、後群Ｇ１ｂを構成し、正の屈折力を有する。
【０２１７】
第２レンズ群Ｇ２は、物体側から順に、両凹負レンズＬ２１と、両凹負レンズＬ２２と物体側に凸面を向けた正メニスカスレンズＬ２３の接合レンズＳＵ２１と、で構成されており、全体で負の屈折力を有している。
【０２１８】
第３レンズ群Ｇ３は、物体側から順に、絞りＳと、物体側に凸面を向けた正メニスカスレンズＬ３１と、で構成されており、全体で正の屈折力を有している。
【０２１９】
第４レンズ群Ｇ４は、物体側から順に、両凸正レンズＬ４１と、物体側に凸面を向けた平凸正レンズＬ４２と像側に凹面を向けた平凹負レンズＬ４３の接合レンズＳＵ４１と、で構成されており、全体で正の屈折力を有している。
【０２２０】
第５レンズ群Ｇ５は、両凹負レンズＬ５１で構成されており、負の屈折力を有している。
【０２２１】
第６レンズ群Ｇ６は、両凸正レンズＬ６１で構成されており、正の屈折力を有している。
【０２２２】
第１レンズ群Ｇ１及び第６レンズ群Ｇ６は、常時固定である。広角端から望遠端へと変倍する際には、第２レンズ群Ｇ２は第３レンズ群Ｇ３との間隔を狭めながら像側へ移動する。第４レンズ群Ｇ４は、広角端から望遠端まで第３レンズ群Ｇ３との間隔を狭めながら物体側へ移動する。第５レンズ群Ｇ５は、広角端から望遠端まで第６レンズ群Ｇ６との間隔を広げながら物体側へ移動する。
【０２２３】
非球面は、第１レンズ群Ｇ１の負メニスカスレンズＬ１１の像側の面ｒ２、第３レンズ群Ｇ３の正メニスカスレンズＬ３１の物体側の面ｒ１５、第４レンズ群Ｇ４の接合レンズＳＵ４１を構成する平凸正レンズＬ４１の物体側の面ｒ１９、及び第４レンズ群Ｇ４の接合レンズＳＵ４１を構成する平凹負レンズＬ４２の像側の面ｒ２１の４面である。
【０２２４】
次に、実施例１〜１５の結像光学系のズームレンズを構成する光学部材の数値データを掲げる。なお、各実施例の数値データにおいて、ｒ１、ｒ２、…は各レンズ面の曲率半径、ｄ１、ｄ２、…は各レンズの肉厚または空気間隔、ｎｄ１、ｎｄ２、…は各レンズのｄ線（λ＝５８７．５６ｎｍ）での屈折率、νｄ１、νｄ２、…は各レンズのｄ線（λ＝５８７．５６ｎｍ）でのアッべ数、Ｆｎｏ．はＦナンバー、ωは半画角（°）をそれぞれ表している。また、絞りは開口絞りを示している。
【０２２５】
また、非球面形状は、光軸方向をｚ、光軸に直交する方向をｙにとり、円錐係数をＫ、非球面係数をＡ４、Ａ６、Ａ８、Ａ１０としたとき、次の式（Ｉ）で表される。
ｚ＝（ｙ2／ｒ）／［１＋｛１−（１＋Ｋ）（ｙ／ｒ）2｝1/2］
＋Ａ４ｙ4＋Ａ６ｙ6＋Ａ８ｙ8＋Ａ１０ｙ10  ・・・（Ｉ）
【０２２６】
また、Ｅは１０のべき乗を表している。なお、これら諸元値の記号は後述の実施例の数値データにおいても共通である。
【０２２７】
数値実施例１
単位     ｍｍ
面データ
面番号              ｒ         ｄ        ｎｄ      νｄ
1               104.846      0.60     1.82115    24.06
2(非球面)        12.929      1.90
3                  ∞        8.40     1.88300    40.76
4                  ∞        0.10
5               166.189      1.48     1.49700    81.61
6               -14.594      0.10
7                13.802      1.63     1.64000    60.08
8               -32.350      D8
9               -24.439      0.50     1.80610    40.92
10(非球面)         4.900      1.20
11               -13.172      0.50     1.77250    49.60
12                 8.464      1.07     1.92286    18.90
13              -180.485      D13
14(絞り)            ∞        0.50
15(非球面)         6.794      0.94     1.69350    53.21
16                15.121      D16
17(非球面)         4.658      1.82     1.49700    81.61
18               -16.502      1.06
19                12.737      1.13     1.59270    35.31
20               -12.769      0.50     1.82115    24.06
21(非球面)         5.889      D21
22               -13.689      0.50     1.88300    40.80
23                38.683      D23
24                12.178      2.75     1.52542    55.78
25(非球面)        -7.338      0.30 
26                  ∞        1.55     1.51633    64.14 
27                  ∞        0.34
像面                ∞
非球面データ
第２面
K=0.487,A4=1.24587E-04
第１０面
K=0.000,A4=-8.51761E-04,A6=-1.93183E-05
第１５面
K=-1.001,A4=2.68004E-05
第１７面
K=-0.300,A4=-2.65386E-04,A6=-1.10160E-05,A8=-9.76481E-07
第２１面
K=0.000,A4=2.95596E-03,A6=1.42760E-04,A8=1.01377E-05, A10= -3.45914E-07
第２５面
K=0.000,A4=9.47414E-04,A6=-1.34041E-05,A8=3.29870E-07, A10= -1.03360E-09
ズームデータ
ズーム比       6.93
広角      中間      望遠
焦点距離           5.04     13.18     34.95
ＦＮＯ．           4.12      5.18      6.40
画角２ω          83.72     31.94     12.28
像高               3.84      3.84      3.84
レンズ全長        49.73     49.73     49.73
BF(in air)         1.67      1.67      1.64
D8                 0.32      4.47      7.71 
D13                7.69      3.54      0.30 
D16                6.40      2.88      0.50 
D21                3.79      8.42      8.96 
D23                3.20      2.10      3.95 
【０２２８】
数値実施例２
単位     ｍｍ
面データ
面番号              ｒ         ｄ        ｎｄ      νｄ
1               100.000      0.60     1.84666    23.78
2(非球面)        12.773      1.90
3                  ∞        8.50     1.88300    40.76
4                  ∞        0.10
5                47.513      1.59     1.49700    81.61
6               -15.875      0.10
7                14.242      1.55     1.65160    58.55
8               -43.375      D8
9               -34.073      0.30     1.80610    40.92
10(非球面)         5.225      1.27
11               -11.529      0.50     1.77250    49.60
12                 9.772      1.08     1.92286    18.90
13               -59.500      D13
14(絞り)            ∞        0.50
15(非球面)         7.877      0.83     1.74320    49.34
16                15.992      D16
17(非球面)         4.468      3.50     1.49700    81.61
18               -12.269      0.10
19                12.491      0.50     1.84666    23.78
20(非球面)         4.991      D20
21               -26.168      0.50     1.84666    23.78
22                20.050      D22 
23                11.138      2.59     1.52542    55.78
24               -12.189      0.30
25                  ∞        1.55     1.51633    64.14 
26                  ∞        0.34
像面                ∞
非球面データ
第２面
K=0.238,A4=9.12122E-05
第１０面
K=0.000,A4=-5.55094E-04,A6=-4.10307E-06
第１５面
K=0.000,A4=-1.96098E-04
第１７面
K=-0.714,A4=5.59580E-04,A6=-7.37981E-06
第２０面
K=0.000,A4=2.64723E-03,A6=1.30494E-04,A8=2.02589E-05
ズームデータ
ズーム比       6.76
広角      中間      望遠
焦点距離           5.07     12.88     34.27
ＦＮＯ．           4.60      5.62      6.05
画角２ω          82.46     32.60     12.52
像高               3.84      3.84      3.84
レンズ全長        49.73     49.74     49.73
BF(in air)         1.67      1.68      1.67
D8                 0.31      4.71      8.71 
D13                8.69      4.28      0.30 
D16                4.36      1.42      0.44 
D20                5.30      8.66      4.22 
D22                3.39      2.98      8.39 
【０２２９】
数値実施例３
単位     ｍｍ
面データ
面番号              ｒ         ｄ        ｎｄ      νｄ
1                41.456      0.50     1.84666    23.78
2                12.000      1.90
3                  ∞        8.20     1.88300    40.76
4                  ∞        0.10
5                17.992      1.55     1.49700    81.61
6               -21.572      0.10
7                 9.614      1.10     1.77250    49.60
8                22.476      D8
9              -186.728      0.30     1.88300    40.76
10                 6.430      1.05
11                -9.871      0.50     1.77250    49.60
12                 8.957      1.00     1.92286    18.90
13              -387.688      D13
14(絞り)            ∞        0.50
15(非球面)         7.357      0.89     1.52542    55.78
16               606.154      D16
17(非球面)         9.024      1.43     1.49700    81.61
18(非球面)        -8.804      0.30
19                 7.272      1.09     1.81600    46.62
20                30.000      0.53     1.84666    23.78 
21                 4.514      D21
22               -10.000      0.50     1.80610    40.92 
23               -41.277      D23
24                40.000      1.50     1.58313    59.38 
25               -15.000      0.30
26                  ∞        1.55     1.51633    64.14
27                  ∞        0.34
像面                ∞
非球面データ
第１５面
K=0.000,A4=-6.14798E-04
第１７面
K=0.075,A4=-5.58747E-04,A6=2.03144E-05
第１８面
K=0.000,A4=5.50925E-04,A6=2.31829E-05
ズームデータ
ズーム比       3.89
広角      中間      望遠
焦点距離           5.68     14.36     22.09
ＦＮＯ．           4.50      5.61      6.06
画角２ω          74.34      29.78    19.34
像高               3.84      3.84      3.84
レンズ全長        41.76     41.71     41.75
BF(in air)         1.70      1.65      1.69
D8                 0.51      4.54      6.24 
D13                6.02      2.00      0.30 
D16                3.96      1.10      0.30 
D21                5.44      6.80      5.97 
D23                1.06      2.57      4.20 
【０２３０】
数値実施例４
単位     ｍｍ
面データ
面番号              ｒ         ｄ        ｎｄ      νｄ
1               115.585      0.50     1.63493    23.90
2(非球面)        12.000      1.90
3                  ∞        7.60     1.88300    40.76
4                  ∞        1.20     1.49700    81.61
5               -16.066      0.10
6                 9.942      1.34     1.65160    58.55
7              -296.813      D7
8                34.416      0.30     1.88300    40.76
9                 5.764      1.18
10                -7.294      0.50     1.77250    49.60
11                10.243      0.97     1.92286    18.90
12              -116.268      D12
13(絞り)            ∞        0.50
14(非球面)         7.261      0.94     1.52542    55.78
15              -456.096      D15
16(非球面)         5.174      1.54     1.49700    81.61
17               -10.861      0.10
18                10.475      0.90     1.82115    24.06
19(非球面)         4.813      D19
20               -10.000      0.50     1.63493    23.90 
21             -1337.625      D21
22                40.000      1.33     1.52542    55.78 
23               -15.000      0.30
24                  ∞        1.55     1.51633    64.14 
25                  ∞        0.34
像面                ∞
非球面データ
第２面
K=0.000,A4=7.37113E-05
第１４面
K=0.000,A4=-6.26483E-04
第１６面
K=0.000,A4=-3.05948E-04,A6=-7.09887E-05
第１９面
K=0.000,A4=1.78274E-03,A6=4.88520E-05
ズームデータ
ズーム比       3.89
広角      中間      望遠
焦点距離           5.91     14.97     22.99
ＦＮＯ．           4.50      5.50      5.91
画角２ω          72.38     28.56     18.60
像高               3.84      3.84      3.84
レンズ全長        41.76     41.73     41.74
BF(in air)         2.83      2.80      2.81
D7                 0.30      4.33      5.99 
D12                5.98      1.94      0.30 
D15                4.26      1.14      0.30 
D19                5.44      8.10      7.93 
D21                1.54      2.00      3.00 
【０２３１】
数値実施例５
単位     ｍｍ
面データ
面番号              ｒ         ｄ        ｎｄ      νｄ
1                86.955      0.50     2.00069    25.46
2                12.353      1.90
3                  ∞        8.50     1.88300    40.76
4                  ∞        0.10
5                32.817      1.63     1.49700    81.61
6               -17.824      0.10
7                12.429      1.30     1.65160    58.55
8              1782.737      D8
9              -333.713      0.30     1.88300    40.76
10                 7.455      1.20
11               -12.505      0.50     1.77250    49.60
12                 9.654      1.20     1.92286    18.90
13              -974.902      D13
14(絞り)            ∞        0.50
15(非球面)          8.741     0.88     1.52542    55.78
16                 30.986      D16
17(非球面)          8.446     3.34     1.49700    81.61
18(非球面)         -9.618     0.20 
19                  5.781     1.44     1.60562    43.70
20                 46.686     0.50     1.80518    25.42 
21                  4.436     D21
22                -10.000     0.50     1.84666    23.78 
23                -24.983     D23
24                 30.000     1.43     1.52542    55.78 
25                -16.983     0.30
26                   ∞       1.55     1.51633    64.14
27                   ∞       0.34
像面                 ∞
非球面データ
第１５面
K=0.000,A4=-3.21582E-04,A6=-6.96160E-07
第１７面
K=-0.673,A4=-1.55100E-04,A6=4.01752E-06
第１８面
K=0.000,A4=5.12228E-04,A6=2.51481E-06
ズームデータ
ズーム比       4.78
広角      中間      望遠
焦点距離           5.09     12.87     24.33
ＦＮＯ．           3.61      4.87      6.03
画角２ω          82.14     32.90     17.58
像高               3.84      3.84      3.84
レンズ全長        49.77     49.71     49.73
BF(in air)         1.61      1.65      1.67
D8                 0.32      4.90      7.49 
D13                7.46      2.87      0.30 
D16                6.80      2.86      0.30 
D21                5.37      7.08      8.72 
D23                2.08      4.31      5.22 
【０２３２】
数値実施例６
単位     ｍｍ
面データ
面番号              ｒ         ｄ        ｎｄ      νｄ
1               113.965      0.50     1.82115    24.06
2(非球面)        13.561      1.90 
3                  ∞        8.50     1.88300    40.76
4                  ∞        0.10
5                28.210      1.50     1.49700    81.61
6               -21.607      0.10
7                21.753      1.33     1.69680    55.53
8               -33.615      D8
9               -29.517      0.30     1.80610    40.92
10(非球面)         5.594      1.09
11               -38.904      0.50     1.77250    49.60
12                 7.621      1.20     1.92286    18.90
13                49.043      D13
14(絞り)            ∞        0.50
15(非球面)         5.642      0.89     1.52542    55.78
16                11.500      D16
17(非球面)         6.552      3.11     1.49700    81.61
18(非球面)        -9.612      0.20 
19                 6.397      1.34     1.58144    40.75
20             17849.043      0.50     1.80518    25.42 
21                 4.181      D21
22               -10.000      0.50     1.84666    23.78 
23               -24.983      D23
24                50.000      1.44     1.83400    37.16 
25               -15.000      0.30
26                  ∞        1.55     1.51633    64.14
27                  ∞        0.34
像面                ∞
非球面データ
第２面
K=0.000,A4=9.85824E-05,A6=6.58595E-07,A8=-8.10558E-09
第１０面
K=0.000,A4=-6.34676E-04,A6=-1.11374E-05
第１５面
K=0.000,A4=-6.23300E-04,A6=-1.35901E-05
第１７面
K=-0.300,A4=-4.25303E-04,A6=2.05390E-05
第１８面
K=0.000,A4=9.11772E-04,A6=2.30953E-05
ズームデータ
ズーム比       5.88
広角      中間      望遠
焦点距離           5.07     12.87     29.81
ＦＮＯ．           3.96      4.77      6.05
画角２ω          82.44     32.62     14.44
像高               3.84      3.84      3.84
レンズ全長        49.73     49.73     49.71
BF(in air)         1.67      1.67      1.65
D8                 0.30      5.27      8.41 
D13                8.44      3.48      0.33 
D16                6.14      3.01      0.30 
D21                4.17      8.80      9.48 
D23                3.50      1.99      4.03 
【０２３３】
数値実施例７
単位     ｍｍ
面データ
面番号              ｒ         ｄ        ｎｄ      νｄ
1                  ∞        0.60     1.82115    24.06
2(非球面)        16.412      1.90 
3                  ∞        8.40     1.88300    40.76
4                  ∞        0.10
5                44.886      1.90     1.49700    81.61
6               -15.759      0.10
7                12.511      1.79     1.57967    60.00
8               -95.800      D8
9               -47.440      0.50     1.80610    40.92
10(非球面)         4.491      1.20
11               -11.015      0.50     1.77250    49.60
12                 7.975      1.10     1.92286    18.90
13              -146.256      D13
14(絞り)            ∞        0.50
15(非球面)         7.498      0.94     1.69350    53.21
16                18.054      D16
17(非球面)         5.066      1.90     1.49700    81.61
18(非球面)       -21.380      1.50
19                20.244      1.14     1.59270    35.31 
20                -8.488      0.50     1.82115    24.06
21(非球面)         9.236      D21
22               -15.848      0.50     1.80610    40.92
23               215.413      D23 
24                27.931      2.47     1.51000    60.00
25(非球面)        -6.937      0.30 
26                  ∞        1.55     1.51633    64.14
27                  ∞        0.34
像面                ∞
非球面データ
第２面
K=0.000,A4=9.13348E-05,A6=1.43222E-07,A8=-9.18067E-10
第１０面
K=0.000,A4=-6.66705E-04,A6=-3.13125E-05,A8=-2.13641E-07,A10=2.52527E-07
第１５面
K=-1.004,A4=2.68471E-05
第１７面
K=0.000,A4=-3.16813E-04,A6=-2.84537E-06,A8=2.10723E-07
第１８面
K=0.000,A4=1.47368E-04,A6=1.65817E-05
第２１面
K=0.000,A4=2.08213E-03,A6=6.78512E-05,A8=1.85266E-06,A10=1.00078E-06
第２５面
K=0.000,A4=1.38985E-03,A6=-2.00951E-05,A8=2.97973E-07
ズームデータ
ズーム比       9.80
広角      中間      望遠
焦点距離           5.00     15.65     49.00
ＦＮＯ．           4.31      5.57      7.21
画角２ω          84.24     27.06      8.78
像高               3.84      3.84      3.84
レンズ全長        55.73     55.73     55.73
BF(in air)         1.69      1.66      1.61
D8                 0.34      5.54      9.16 
D13                9.12      3.92      0.30 
D16                8.32      3.85      0.47 
D21                1.77      8.76      9.67 
D23                6.94      4.45      6.95 
【０２３４】
数値実施例８
単位     ｍｍ
面データ
面番号              ｒ         ｄ        ｎｄ      νｄ
1               102.491      0.60     1.84666    23.78
2(非球面)        12.335      1.90 
3                  ∞        8.30     1.88300    40.76
4                  ∞        0.10
5                50.998      1.59     1.49700    81.61
6               -15.512      0.10
7                14.983      1.56     1.65160    58.55
8               -33.213      D8
9               -29.687      0.50     1.80610    40.92
10(非球面)         5.700      1.20
11               -17.270      0.50     1.77250    49.60
12                20.624      0.10
13                13.424      1.12     1.92286    18.90 
14               -17.759      0.50     1.88300    40.80 
15                27.607      D15
16(絞り)            ∞        0.50
17(非球面)         8.514      0.88     1.74320    49.34
18                23.328      D18
19(非球面)         4.500      3.40     1.49700    81.54
20               -11.971      0.10
21                17.674      0.55     1.84666    23.78
22(非球面)         5.295      D22
23               -10.891      0.50     1.84666    23.78
24               -66.664      D24 
25(非球面)        36.386      1.93     1.52542    55.78
26                -8.647      0.30
27                  ∞        1.55     1.51633    64.14
28                  ∞        0.34
像面                ∞
非球面データ
第２面
K=0.322,A4=1.15151e-04
第１０面
K=0.000,A4=-4.78953e-04,A6=-2.99590e-06
第１７面
K=0.000,A4=-2.02240e-04
第１９面
K=-0.972,A4=9.86241e-04,A6=-1.83150e-06
第２２面
K=0.000,A4=2.65371e-03,A6=1.32567e-04,A8=1.62784e-05
第２５面
K=0.000,A4=-3.01230e-04,A6=-4.99648e-06
ズームデータ
ズーム比       6.93
広角      中間      望遠
焦点距離           5.10     13.42     35.32
ＦＮＯ．           4.58      5.91      6.39
画角２ω          82.34     31.50     12.14
像高               3.84      3.84      3.84
レンズ全長        49.71     49.73     49.72
BF(in air)         1.67      1.67      1.66
D8                 0.30      4.54      8.35 
D15                8.41      4.18      0.36 
D18                4.93      1.23      0.40 
D22                6.47      9.70      4.82 
D24                2.00      2.49      8.21 
【０２３５】
数値実施例９
単位     ｍｍ
面データ
面番号              ｒ         ｄ        ｎｄ      νｄ
1               101.461      0.60     1.84666    23.78
2(非球面)        12.386      1.90 
3                  ∞        8.45     1.88300    40.76
4                  ∞        0.10
5                42.898      1.44     1.49700    81.61
6               -16.474      0.10
7                16.176      1.54     1.65160    58.55
8               -30.983      D8
9               -23.539      0.50     1.80610    40.92
10(非球面)         5.801      1.02
11               -71.178      0.50     1.77250    49.60
12                 8.304      1.23     1.92286    20.88
13               -25.671      0.50     1.88300    40.80
14(非球面)        21.295      D14
15(絞り)            ∞        0.50
16(非球面)         8.838      0.91     1.69350    53.21
17                31.222      D17
18(非球面)         4.500      3.50     1.49700    81.61
19               -11.068      0.10
20                16.233      0.54     1.84666    23.78
21(非球面)         5.135      D21
22               -14.685      0.50     1.90366    31.32
23                44.496      D23 
24(非球面)        18.709      2.10     1.52542    55.78
25               -10.055      0.30
26                  ∞        1.55     1.51633    64.14
27                  ∞        0.34
像面                ∞
非球面データ
第２面
K=0.415,A4=9.97548E-05
第１０面
K=0.000,A4=-1.61553E-04,A6=5.74401E-07
第１４面
K=0.000,A4=-3.74968E-04,A6=-3.28683E-06
第１６面
K=0.000,A4=-1.81133E-04
第１８面
K=-1.021,A4=8.90291E-04,A6=-9.88698E-06
第２１面
K=0.000,A4=2.53044E-03,A6=1.13174E-04,A8=1.49435E-05
第２４面
K=0.000,A4=-2.18983E-05,A6=-5.00000E-06
ズームデータ
ズーム比       6.93
広角      中間      望遠
焦点距離           5.10     13.42     35.34
ＦＮＯ．           4.48      5.89      6.57
画角２ω          83.08     31.54     12.14
像高               3.84      3.84      3.84
レンズ全長        49.73     49.73     49.73
BF(in air)         1.67      1.67      1.66
D8                 0.32      4.55      8.30 
D14                8.37      4.14      0.39 
D17                5.56      1.76      0.39 
D21                6.25      9.10      6.48 
D23                1.55      2.50      6.49 
【０２３６】
数値実施例１０
単位     ｍｍ
面データ
面番号              ｒ         ｄ        ｎｄ      νｄ
1               167.099      0.60     1.84666    23.78
2(非球面)        13.861      1.90 
3                  ∞        8.50     1.88300    40.76
4                  ∞        0.10
5                76.384      1.53     1.49700    81.61
6               -15.731      0.10
7                14.011      1.14     1.65160    58.55
8               -45.334      D8
9               -37.012      0.50     1.80610    40.92
10(非球面)         5.825      1.61
11               -13.858      0.50     1.77250    49.60
12                 8.503      1.04     1.92286    18.90
13               352.038      D13 
14(絞り)            ∞        0.50
15(非球面)         9.396      0.87     1.69350    53.21
16                30.613      D16
17(非球面)         4.637      2.39     1.49700    81.61
18               -33.444      0.10
19                51.291      1.70     1.49700    81.61
20               -23.134      0.10
21                23.688      0.50     1.84666    23.78
22(非球面)         5.304      D22
23               -14.058      0.50     1.84666    23.78 
24                89.645      D24 
25                12.580      2.41     1.52542    55.78
26               -12.116      0.30
27                  ∞        1.55     1.51633    64.14
28                  ∞        0.34
像面                ∞
非球面データ
第２面
K=0.150,A4=9.22313E-05
第１０面
K=0.000,A4=-3.75331E-04,A6=-3.08291E-06
第１５面
K=0.000,A4=-1.53846E-04
第１７面
K=-1.025,A4=8.72375E-04,A6=4.55839E-06
第２２面
K=0.000,A4=2.76271E-03,A6=1.47620E-04,A8=1.90100E-05
ズームデータ
ズーム比       6.93
広角      中間      望遠
焦点距離           5.10     13.38     35.36
ＦＮＯ．           4.38      5.42      6.56
画角２ω          82.38     31.66     12.12
像高               3.84      3.84      3.84
レンズ全長        49.72     49.77     49.79
BF(in air)         1.69      1.71      1.73
D8                 0.31      4.66      8.93 
D13                8.83      4.52      0.30 
D16                4.85      1.00      0.38 
D22                5.67      8.80      4.31 
D24                1.80      2.50      7.57 
【０２３７】
数値実施例１１
単位     ｍｍ
面データ
面番号              ｒ         ｄ        ｎｄ      νｄ
1               100.000      0.60     1.84666    23.78
2(非球面)        12.463      1.90 
3                  ∞        8.50     1.88300    40.76
4                  ∞        0.10
5               115.783      1.54     1.49700    81.61
6               -14.032      0.10
7                14.529      1.62     1.65160    58.55
8               -30.811      D8
9               -25.609      0.50     1.80610    40.92
10(非球面)         6.211      1.08
11               -16.799      0.50     1.77250    49.60
12                 6.594      1.09     1.92286    18.90
13                30.202      D13 
14(絞り)            ∞        0.50
15(非球面)         8.922      0.88     1.74320    49.34
16                31.777      D16 
17(非球面)         4.853      3.50     1.49700    81.61
18               -10.626      0.10
19               -38.913      0.55     1.84666    23.78 
20(非球面)        12.007      D20
21               -30.372      0.50     1.63493    23.89 
22(非球面)        34.707      0.40 
23(非球面)       -91.640      0.50     1.63493    23.89
24                28.854      D24 
25                51.814      2.00     1.52542    55.78 
26                -8.675      0.30
27                  ∞        1.55     1.51633    64.14 
28                  ∞        0.34
像面                ∞
非球面データ
第２面
K=0.305,A4=1.40778E-04
第１０面
K=0.000,A4=-4.13164E-04,A6=-1.91217E-06
第１５面
K=0.000,A4=-2.30379E-04
第１７面
K=-0.874,A4=1.06427E-03,A6=1.84229E-05
第２０面
K=0.000,A4=2.31062E-03,A6=7.39288E-05,A8=8.61123E-06
第２２面
K=0.000,A4=1.05138E-03
第２３面
K=0.000,A4=5.94263E-04,A6=-3.96449E-05
ズームデータ
ズーム比       6.93
広角      中間      望遠
焦点距離           5.04     13.30     34.92
ＦＮＯ．           4.53      5.74      6.48
画角２ω          83.48     31.72     12.62
像高               3.84      3.84      3.84
レンズ全長        49.73     49.73     49.73
BF(in air)         1.67      1.67      1.66
D8                 0.30      4.22      7.67
D13                7.73      3.81      0.36 
D16                6.29      2.27      0.37 
D20                6.29      8.55      5.22 
D24                1.00      2.76      8.00 
【０２３８】
数値実施例１２
単位     ｍｍ
面データ
面番号              ｒ         ｄ        ｎｄ      νｄ
1               246.233      0.60     1.84666    23.78
2(非球面)        13.798      1.90 
3                  ∞        8.50     1.88300    40.76
4                  ∞        0.10
5                85.653      1.53     1.49700    81.61
6               -15.110      0.10
7                13.824      1.58     1.65160    58.55
8               -44.736      D8
9               -32.553      0.30     1.80610    40.92
10(非球面)         5.673      1.16
11               -13.580      0.50     1.77250    49.60
12                 8.618      1.09     1.92286    18.90
13                  ∞        D13 
14(絞り)            ∞        0.50
15(非球面)         8.081      0.86     1.74320    49.34
16                17.944      D16 
17(非球面)         4.500      3.50     1.49700    81.61
18               -13.218      0.10
19                11.880      0.50     1.84666    23.78 
20(非球面)         5.000      D20
21               -16.264      0.50     1.84666    23.78 
22                 6.500      1.52     1.63493    23.89 
23               173.726      D23 
24                19.766      2.11     1.52542    55.78 
25               -10.556      0.30
26                  ∞        1.55     1.51633    64.14 
27                  ∞        0.34
像面                ∞
非球面データ
第２面
K=-0.084,A4=1.09733E-04
第１０面
K=0.000,A4=-4.22086E-04,A6=-1.68114E-06
第１５面
K=0.000,A4=-1.88360E-04
第１７面
K=-0.995,A4=9.35350E-04,A6=-1.82585E-06
第２０面
K=0.000,A4=2.52148E-03,A6=1.31113E-04,A8=1.77035E-05
ズームデータ
ズーム比       6.89
広角      中間      望遠
焦点距離           5.34     14.06     36.76
ＦＮＯ．           4.46      5.61      6.13
画角２ω          79.44     29.90     11.78
像高               3.84      3.84      3.84
レンズ全長        50.01     50.05     50.76
BF(in air)         1.96      1.98      2.69
D8                 0.32      4.89      8.86
D13                8.85      4.28      0.30 
D16                4.70      1.50      0.44 
D20                5.47      8.36      4.52 
D23                1.79      2.10      7.00 
【０２３９】
数値実施例１３
単位     ｍｍ
面データ
面番号              ｒ         ｄ        ｎｄ      νｄ
1               306.276      0.60     1.84666    23.78
2(非球面)        14.152      1.90 
3                  ∞        8.50     1.88300    40.76
4                  ∞        0.10
5                61.179      1.53     1.49700    81.61
6               -15.732      0.10
7                14.154      1.54     1.65160    58.55
8               -46.847      D8
9               -34.589      0.30     1.80610    40.92
10(非球面)         5.628      1.16
11               -13.256      0.50     1.77250    49.60
12                 8.964      1.06     1.92286    18.90
13              -224.569      D13 
14(絞り)            ∞        0.50
15(非球面)         8.343      0.85     1.74320    49.34
16                18.523      D16 
17(非球面)         4.500      3.50     1.49700    81.61
18               -12.673      0.10
19                12.031      0.50     1.84666    23.78 
20(非球面)         5.000      D20
21               -15.516      0.50     1.84666    23.78 
22                10.765      0.30
23                11.591      1.12     1.63493    23.89 
24               246.505      D24 
25                14.563      2.22     1.52542    55.78 
26               -12.035      0.31
27                  ∞        1.55     1.51633    64.14 
28                  ∞        0.34
像面                ∞
非球面データ
第２面
K=0.009,A4=1.00582E-04
第１０面
K=0.000,A4=-4.28973E-04,A6=-2.75574E-06
第１５面
K=0.000,A4=-1.68903E-04
第１７面
K=-1.008,A4=9.18694E-04,A6=-3.45304E-06
第２０面
K=0.000,A4=2.45936E-03,A6=1.27154E-04,A8=1.66957E-05
ズームデータ
ズーム比       6.93
広角      中間      望遠
焦点距離           5.10     13.43     35.34
ＦＮＯ．           4.46      5.61      6.13
画角２ω          83.18     31.38     12.14
像高               3.84      3.84      3.84
レンズ全長        49.73     49.73     49.73
BF(in air)         1.68      1.68      1.67
D8                 0.32      4.92      8.98 
D13                8.97      4.37      0.30 
D16                4.70      1.50      0.43 
D20                5.68      8.39      4.46 
D24                1.50      2.00      6.99 
【０２４０】
数値実施例１４
単位     ｍｍ
面データ
面番号              ｒ         ｄ        ｎｄ      νｄ
1               277.498      0.50     1.63493    23.90
2(非球面)        12.000      1.90 
3                  ∞        7.80     1.81600    46.62
4                  ∞        0.10
5                42.687      1.29     1.49700    81.61 
6               -17.015      0.10
7                 9.176      1.46     1.52542    55.78 
8               -95.983      D8
9               108.490      0.30     1.88300    40.76 
10                 6.429      0.85
11               -16.840      0.50     1.74100    52.64 
12                 5.537      0.97     1.92286    18.90 
13                15.655      D13 
14(絞り)            ∞        D14
15(非球面)         6.576      0.98     1.52542    55.78
16                33.398      D16 
17                 6.252      1.81     1.49700    81.61 
18               -16.372      0.30
19(非球面)         6.002      1.33     1.52542    55.78
20                  ∞        0.50     1.63493    23.90
21(非球面)         4.524      D21
22               -10.000      0.50     1.52542    55.78
23               335.543      D23 
24                30.000      1.45     1.52542    55.78
25               -15.000      0.30
26                  ∞        1.55     1.51633    64.14 
27                  ∞        0.34
像面                ∞
非球面データ
第２面
K=0.000,A4=9.48568E-05
第１５面
K=0.000,A4=-6.59915E-04,A6=-5.14679E-06
第１９面
K=0.000,A4=-2.85433E-04,A6=-4.31777E-05,A8=-6.66869E-06
第２１面
K=0.000,A4=1.81842E-03,A6=5.94070E-05,A8=-1.31834E-05
ズームデータ
ズーム比       3.90
広角      中間      望遠
焦点距離           5.47     13.88     21.31
ＦＮＯ．           3.50      4.81      5.96
画角２ω          78.00     30.76     20.04
像高               3.84      3.84      3.84
レンズ全長        41.73     41.72     41.73
BF(in air)         1.67      1.66      1.67
D8                 0.29      3.77      5.07 
D13                3.76      1.11      0.60 
D14                2.00      1.16      0.40 
D16                4.94      1.70      0.30 
D21                4.92      7.66      8.05 
D23                1.50      2.00      3.00 
【０２４１】
数値実施例１５
単位     ｍｍ
面データ
面番号              ｒ         ｄ        ｎｄ      νｄ
1               220.658      0.50     1.63493    23.90
2(非球面)        12.198      1.90 
3                  ∞        7.80     1.81600    46.62
4                  ∞        0.10
5                37.263      1.24     1.49700    81.61 
6               -17.820      0.10
7                 9.132      1.36     1.52542    55.78 
8              -151.105      D8
9              -133.261      0.30     1.88300    40.76 
10                 6.357      0.85
11               -14.627      0.50     1.77250    49.60 
12                 5.667      0.97     1.92286    18.90 
13                19.219      D13 
14(絞り)            ∞        D14
15(非球面)         7.141      0.99     1.52542    55.78
16                84.808      D16 
17                 6.271      1.86     1.49700    81.61 
18               -16.417      0.30
19(非球面)         6.041      1.37     1.52542    55.78
20                  ∞        0.50     1.63493    23.90
21(非球面)         4.510      D21
22               -10.000      0.50     1.52542    55.78
23               483.582      D23 
24                30.000      1.44     1.52542    55.78
25               -15.000      0.36
26                  ∞        1.55     1.51633    64.14 
27                  ∞        0.34
像面                ∞
非球面データ
第２面
K=0.000,A4=8.26967E-05
第１５面
K=0.000,A4=-5.95864E-04,A6=-1.61120E-06
第１９面
K=0.000,A4=-2.87785E-04,A6=-4.24082E-05,A8=-6.46386E-06
第２１面
K=0.000,A4=1.75984E-03,A6=5.35614E-05,A8=-1.35560E-05
ズームデータ
ズーム比       3.90
広角      中間      望遠
焦点距離           5.43     13.80     21.15
ＦＮＯ．           3.51      5.25      6.03
画角２ω          78.58     31.02     20.18
像高               3.84      3.84      3.84
レンズ全長        41.73     41.71     41.71
BF(in air)         1.73      1.71      1.72
D8                 0.30      3.32      5.18 
D13                3.53      1.21      0.60 
D14                2.00      0.89      0.40 
D16                5.33      1.63      0.30 
D21                4.74      8.36      7.92 
D23                1.50      2.00      3.00 
【０２４２】
図１６〜図３０は、実施例１〜実施例１５における結像光学系のズームレンズの無限遠物点合焦時における球面収差（ＳＡ）、像面湾曲（ＦＣ）、歪曲収差（ＤＴ）、倍率色収差（ＣＣ）を示す図であり、（ａ）は広角端、（ｂ）は中間焦点距離状態、（ｃ）は望遠端での状態を示している。
【０２４３】
球面収差と倍率色収差は、４３５．８４ｎｍ（ｇ線：一点鎖線），５８７．５６ｎｍ（ｄ線：実線），６５６．２７ｎｍ（Ｃ線：破線）の各波長における数値を示してある。また、非点隔差は、実線がサジタル像面、点線がメリジオナル像面を示している。なお、ＦＮＯはＦナンバー、ωは半画角を示す。
【０２４４】
次に、上記各実施例における条件式（１）〜（５）の値を示す。
【０２４５】
条件式       実施例１      実施例２      実施例３      実施例４      実施例５
(1)           8.562        18.094        -3.002       -27.648        -3.213
(2)           0.398         0.680         0.378         0.350         0.385
(3)           2.351         1.317         2.602         1.359         3.268    
(4)          -0.129         0.009        -0.095        -0.018        -0.249
(5)           0.477        -0.132         1.639         1.015         2.335
【０２４６】
条件式       実施例６      実施例７      実施例８      実施例９      実施例１０
(1)          -4.527         3.430        12.324        15.176        14.911
(2)           0.410         0.264         0.346         0.482         0.452
(3)           3.851         3.440         1.694         1.341         1.752    
(4)          -0.201        -0.027         0.192         0.189         0.012
(5)           2.335         0.863         1.391         0.504         0.729
【０２４７】
条件式       実施例１１    実施例１２    実施例１３    実施例１４    実施例１５
(1)           2.356        19.000        19.000        -6.237        -6.124
(2)           0.433         0.530         0.513         0.377         0.378
(3)           1.340         2.067         1.692         2.592         2.624    
(4)           1.751        -0.053        -0.026        -0.463        -0.462
(5)          -0.026         0.829         0.882         0.942         0.959
【０２４８】
図３１は、本実施形態のズームレンズを撮像装置としてのデジタルカメラの撮影光学系４１に組み込んだ構成を示す断面図である。
【０２４９】
デジタルカメラ４０は、この例の場合、撮影用光路４２を有する撮影光学系４１、ファインダー用光路４４を有するファインダー光学系４３、シャッター４５、フラッシュ４６、液晶表示モニター４７等を含み、カメラ４０の上部に配置されたシャッター４５を押圧すると、それに連動して撮影光学系４１、例えば実施例１のズームレンズを通して撮影が行われる。
【０２５０】
撮影光学系４１によって形成された物体像が、カバーガラスＣＧを介してＣＣＤやＣＭＯＳ等の撮像素子４９の撮像面上に形成される。このＣＣＤやＣＭＯＳ等の撮像素子４９で受光された物体像は、処理手段（例えばＣＰＵ）５１を介し、電子画像としてカメラ背面に設けられた液晶表示モニター（ＬＣＤ）４７に表示される。また、この処理手段５１には記録手段（例えば、メモリ）５２が接続され、撮影された電子画像を記録することもできる。なお、この記録手段５２は処理手段５１と別体に設けてもよいし、フロッピー（登録商標）ディスクやメモリーカード、ＭＯ、ＤＶＤ±ＲＷ等により電子的に記録書き込みを行うように構成してもよい。また、ＣＣＤ等４９に代わって銀塩フィルムを配置した銀塩カメラとして構成してもよい。
【０２５１】
さらに、ファインダー用光路４４上にはファインダー用対物光学系５３が配置してある。このファインダー用対物光学系５３によって形成された物体像は、像正立部材であるポロプリズム５５の視野枠５７上に形成される。このポリプリズム５５の後方には、正立正像にされた像を観察者眼球Ｅに導く接眼光学系５９が配置されている。なお、撮影光学系４１及びファインダー用対物光学系５３の入射側、接眼光学系５９の射出側にそれぞれカバー部材５０が配置されている。
【０２５２】
図３２は、デジタルカメラ４０の主要部の内部回路を示すブロック図である。なお、以下の説明では、前述した処理手段５１は、例えば、ＣＤＳ／ＡＤＣ部２４、一時記憶メモリ１７、画像処理部１８等で構成され、記録手段５２は、記憶媒体部等で構成される。
【０２５３】
図３２に示すように、デジタルカメラ４０は、操作部１２と、この操作部１２に接続された制御部１３と、制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０２５４】
一次記憶メモリ１７、画像処理部１８、記憶媒体部１９、表示部２０、及び設定情報記憶メモリ部２１はバス２２を介して相互にデータの入力又は出力が可能とされている。また、撮像駆動回路１６には、ＣＣＤ４９とＣＤＳ／ＡＤＣ部２４が接続されている。
【０２５５】
操作部１２は各種の入力ボタンやスイッチを備え、これらの入力ボタンやスイッチを介して外部（カメラ使用者）から入力されるイベント情報を制御部１３に通知する回路である。制御部１３は、例えばＣＰＵ等からなる中央演算処理装置であり、不図示のプログラムメモリを内蔵し、そのプログラムメモリに格納されているプログラムにしたがって、操作部１２を介してカメラ使用者から入力される指示命令を受けてデジタルカメラ４０全体を制御する回路である。
【０２５６】
ＣＣＤ４９は、撮影光学系４１を介して形成された物体像を受光する。ＣＣＤ４９は、撮影駆動回路１６により駆動制御され、その物体像の各画素ごとの光量を電気信号に変換してＣＤＳ／ＡＤＣ部２４に出力する撮像素子である。
【０２５７】
ＣＤＳ／ＡＤＣ部２４は、ＣＣＤ４９から入力する電気信号を増幅し、かつアナログ／デジタル変換を行って、この増幅とデジタル変換を行っただけの映像生データ（ベイヤーデータ、以下ＲＡＷデータという。）を一時メモリ１７に出力する回路である。
【０２５８】
一次記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一次記憶メモリ１７に記憶されたＲＡＷデータ又は記憶媒体部１９に記憶されているＲＡＷデータを読み出して、制御部１３から指定された画質パラメータに基づいて歪曲収差の補正を含む各種画像処理を電気的に行う回路である。
【０２５９】
記憶媒体部１９は、例えばフラッシュメモリ等からなるカード型又はスティック型の記録媒体を着脱自在に装着して、それらカード型又はスティック型の記憶媒体に、一次記憶メモリ１７から転送されるＲＡＷデータや画像処理部１８で画像処理された画像データを記録して保持する装置の制御回路である。
【０２６０】
表示部２０は、液晶表示モニター４７に画像や操作メニュー等を表示する回路である。設定情報記憶メモリ部２１には、予め各種の画質パラメータが格納されているＲＯＭ部と、そのＲＯＭ部から読み出された画質パラメータの中から操作部１２の入力操作によって選択された画質パラメータを記憶するＲＡＭ部が備えられている。設定情報記憶メモリ部２１は、それらのメモリへの入出力を制御する回路である。
【０２６１】
このように構成されたデジタルカメラ４０は、撮像光学系４１として本実施例のズームレンズを採用することで、小型で動画撮像に適した撮像装置とすることが可能となる。
【０２６２】
以上、種々の実施形態について説明したが、本実施例はこれらの実施形態のみに限られるものではなく、それぞれの実施形態の構成を適宜組み合わせて構成した実施形態も本発明の範疇となるものである。
【符号の説明】
【０２６３】
Ｇ１…第１レンズ群
Ｇ２…第２レンズ群
Ｇ３…第３レンズ群
Ｇ４…第４レンズ群
Ｇ５…第５レンズ群
Ｇ６…第６レンズ群
Ｐ…プリズム
Ｓ…開口絞り
ＣＧ…カバーガラス
Ｅ…観察者眼球
１２…操作部
１３…制御部
１４、１５…バス
１６…撮像駆動回路
１７…一次記憶メモリ
１８…画像処理部
１９…記憶媒体部
２０…表示部
２１…設定情報記憶メモリ部
２２…バス
２４…ＣＤＳ／ＡＤＣ部
４０…デジタルカメラ（電子撮像装置）
４１…撮影光学系
４２…撮影用光路
４７…液晶表示モニター
４９…ＣＣＤ
【図１】
0005730709.tif 000002
【図２】
0005730709.tif 000003
【図３】
0005730709.tif 000004
【図４】
0005730709.tif 000005
【図５】
0005730709.tif 000006
【図６】
0005730709.tif 000007
【図７】
0005730709.tif 000008
【図８】
0005730709.tif 000009
【図９】
0005730709.tif 000010
【図１０】
0005730709.tif 000011
【図１１】
0005730709.tif 000012
【図１２】
0005730709.tif 000013
【図１３】
0005730709.tif 000014
【図１４】
0005730709.tif 000015
【図１５】
0005730709.tif 000016
【図１６】
0005730709.tif 000017
【図１７】
0005730709.tif 000018
【図１８】
0005730709.tif 000019
【図１９】
0005730709.tif 000020
【図２０】
0005730709.tif 000021
【図２１】
0005730709.tif 000022
【図２２】
0005730709.tif 000023
【図２３】
0005730709.tif 000024
【図２４】
0005730709.tif 000025
【図２５】
0005730709.tif 000026
【図２６】
0005730709.tif 000027
【図２７】
0005730709.tif 000028
【図２８】
0005730709.tif 000029
【図２９】
0005730709.tif 000030
【図３０】
0005730709.tif 000031
【図３１】
0005730709.tif 000032
【図３２】
0005730709.tif 000033